(57)【特許請求の範囲】
【請求項１】
パスワードを生成する方法であって、電子装置が、
オブジェクトを表示するステップであって、前記表示されたオブジェクトは、第１のオブジェクト、当該第１のオブジェクト上で利用可能な第２のオブジェクト、又はそれらの組み合わせを含む、前記オブジェクトを表示するステップと、
パスワードの簡易度を設定することを可能にするステップであって、前記第１のオブジェクトの第１のオブジェクト・アイコン上に、当該第１のオブジェクト上で利用可能な少なくとも１つの第２のオブジェクトの第２のオブジェクト・アイコンを重畳して表示するステップを含み、前記重畳して表示するステップは、前記重畳した第２のオブジェクト・アイコン上に、当該重畳した第２のオブジェクトが前記簡易度に応じて利用可能かを示す表示を重畳して表示するステップ、又は前記重畳した第２のオブジェクトが前記簡易度に応じて利用可能かを区別できるように当該重畳した第２のオブジェクト・アイコンを変更するステップを含む、前記設定することを可能にするステップと、
前記設定された簡易度に従うパスワードを生成するステップと
を実行することを含む、前記方法。
【請求項２】
前記パスワードの簡易度を設定することを可能にするステップが、
前記パスワードの簡易度を変更可能な簡易度設定表示を表示するステップ
をさらに含む、請求項１に記載の方法。
【請求項３】
前記電子装置が、
前記簡易度設定表示により特定された簡易度に応じて、
前記重畳した第２のオブジェクトが前記簡易度に応じて利用可能かを示す前記表示、若しくは前記第１のオブジェクトが前記簡易度に応じて利用可能かを示す表示を動的に変更するステップ、又は、
前記重畳した第２のオブジェクトが前記簡易度に応じて利用可能かを区別できるように当該重畳した第２のオブジェクト・アイコン、若しくは前記第１のオブジェクトが前記簡易度に応じて利用可能かを区別できるように当該第１のオブジェクト・アイコンを動的に変更するステップ
をさらに実行することを含む、請求項２に記載の方法。
【請求項４】
前記電子装置が、
前記パスワードの簡易度が変更されたことを検出し、当該変更された簡易度に応じて、
前記重畳した第２のオブジェクトが前記簡易度に応じて利用可能かを示す前記表示、若しくは前記第１のオブジェクトが前記簡易度に応じて利用可能かを示す表示を動的に変更するステップ、又は、
前記重畳した第２のオブジェクトが前記簡易度に応じて利用可能かを区別できるように当該重畳した第２のオブジェクト・アイコン、若しくは前記第１のオブジェクトが前記簡易度に応じて利用可能かを区別できるように当該第１のオブジェクト・アイコンを動的に変更するステップと
前記生成したパスワードを、前記変更された簡易度に従うパスワードに変更するステップと
をさらに実行することを含む、請求項３に記載の方法。
【請求項５】
前記パスワードの簡易度を設定することを可能にするステップが、
前記第２のオブジェクト・アイコンが前記第１のオブジェクト・アイコン上に移動されることに応じて、当該移動された第２のオブジェクトが利用可能になるように、前記簡易度を計算するステップ
を含む、請求項１〜４のいずれか一項に記載の方法。
【請求項６】
前記第２のオブジェクト・アイコンが前記第１のオブジェクト・アイコン上に移動されることに応じて、
前記移動した第２のオブジェクトが前記簡易度に応じて利用可能かを示す前記表示を利用可能であることを示す表示に変更するステップ、又は、
前記移動した第２のオブジェクトが前記簡易度に応じて利用可能であることを示すように当該移動した第２のオブジェクト・アイコンを動的に変更するステップ
をさらに実行することを含む、請求項５に記載の方法。
【請求項７】
前記簡易度を計算するステップが、
前記移動した第２のオブジェクトに関連付けられたセキュリティ・レベルが、前記設定された簡易度に関連付けられたセキュリティ・レベルを満たすように、前記簡易度を計算するステップ
を含む、請求項５又は６に記載の方法。
【請求項８】
前記パスワードの簡易度を設定することを可能にするステップが、
前記設定された簡易度で利用不可能な第２又は第１のオブジェクトのオブジェクト・アイコンが選択されることに応じて、又は前記設定された簡易度で利用不可能な第２又は第１のオブジェクトのオブジェクト・アイコン上の前記簡易度に応じて利用可能かを示す表示が利用可能であるように変更されることに応じて、前記選択された又は前記変更された第２又は第１のオブジェクトが利用可能になるように、前記簡易度を計算するステップ
をさらに含む、請求項１〜７のいずれか一項に記載の方法。
【請求項９】
前記簡易度を計算するステップが、
前記選択された又は前記変更された第２又は第１のオブジェクトに関連付けられたセキュリティ・レベル若しくはその組み合わせにより計算されるセキュリティ・レベルが、前記設定された簡易度に関連付けられたセキュリティ・レベルを満たすように、前記簡易度を計算するステップ
を含む、請求項８に記載の方法。
【請求項１０】
前記簡易度に応じて利用可能かを示す表示がチェックボックスであり、
前記重畳した第２のオブジェクトが前記簡易度に応じて利用できることを示す表示が、前記チェックボックスがオンにされていることであり、一方、
前記重畳した第２のオブジェクトが前記簡易度に応じて利用できないことを示す表示が、前記チェックボックスがオフにされていることである、
請求項１に記載の方法。
【請求項１１】
前記重畳した第２のオブジェクトが前記簡易度に応じて利用可能かを区別できるように当該重畳した第２のオブジェクト・アイコンを変更するステップが、
前記重畳した第２のアイコンの色を変更するステップ
を含む、請求項１に記載の方法。
【請求項１２】
前記電子装置が、
前記第２のオブジェクト・アイコンが拡大表示されることに応じて、当該拡大表示された第２のオブジェクト・アイコン上に、当該第２のオブジェクト上で利用可能な少なくとも１つの第３のオブジェクトの第３のオブジェクト・アイコンを重畳して表示するステップ
をさらに実行することを含む、請求項１に記載の方法。
【請求項１３】
前記設定された簡易度で利用可能な第１又は第２のオブジェクト若しくはそれらの組み合わせがアクセス・グループを形成し、
前記アクセス・グループに属する第１のオブジェクトに関連付けられたセキュリティ・レベル、前記アクセス・グループに属する前記第２のオブジェクトに関連付けられたセキュリティ・レベル、又はそれらの組み合わせに基づき計算されるセキュリティ・レベルが前記設定された簡易度に関連付けられたセキュリティ・レベルを満たす、請求項１に記載の方法。
【請求項１４】
前記設定された簡易度に従うパスワードを生成するステップが、
複数のパスワードを生成するステップであって、前記複数のパスワードそれぞれに異なるアクセス・グループが関連付けられる、前記複数のパスワードを生成するステップ
を含む、請求項１３に記載の方法。
【請求項１５】
前記パスワードの簡易度を設定することを可能にするステップが、第１のパスワードが入力され且つ認証されることに応じて設定可能になり、
前記パスワードは、前記第１のパスワードよりもセキュリティ・レベルが低い、
請求項１〜１４のいずれか一項に記載の方法。
【請求項１６】
パスワードを設定可能な電子装置であって、
オブジェクトを表示する表示手段であって、前記表示されたオブジェクトは、第１のオブジェクト、当該第１のオブジェクト上で利用可能な第２のオブジェクト、又はそれらの組み合わせを含む、前記表示手段と、
パスワードの簡易度を設定することを可能にする簡易度設定手段と、
前記設定された簡易度に従うパスワードを生成するパスワード生成手段と
を備えており、
前記表示手段が、
前記第１のオブジェクトの第１のオブジェクト・アイコン上に、当該第１のオブジェクト上で利用可能な少なくとも１つの第２のオブジェクトの第２のオブジェクト・アイコンを重畳して表示し、
前記重畳した第２のオブジェクト・アイコン上に、当該重畳した第２のオブジェクトが前記簡易度に応じて利用可能かを示す表示を重畳して表示し、及び、
前記重畳した第２のオブジェクトが前記簡易度に応じて利用可能かを区別できるように当該重畳した第２のオブジェクト・アイコンを変更して表示する、
前記電子装置。
【請求項１７】
前記表示手段が、
前記パスワードの簡易度を変更可能な簡易度設定表示を表示する、
請求項１６に記載の電子装置。
【請求項１８】
前記簡易度設定手段が、
前記第２のオブジェクト・アイコンが前記第１のオブジェクト・アイコン上に移動されることに応じて、当該移動された第２のオブジェクトが利用可能になるように、前記簡易度を計算する、
請求項１６又は１７に記載の電子装置。
【請求項１９】
前記簡易度設定手段が、
前記設定された簡易度で利用不可能な第２又は第１のオブジェクトのオブジェクト・アイコンが選択されることに応じて、又は前記設定された簡易度で利用不可能な第２又は第１のオブジェクトのオブジェクト・アイコン上の前記簡易度に応じて利用可能かを示す表示が利用可能であるように変更されることに応じて、前記選択された又は前記変更された第２又は第１のオブジェクトが利用可能になるように、前記簡易度を計算する、
請求項１６〜１８のいずれか一項に記載の電子装置。
【請求項２０】
パスワードを設定するための電子装置用プログラムであって、前記電子装置に、請求項１〜１５のいずれか一項に記載の方法の各ステップを実行させる、前記電子装置用プログラム。
【発明の詳細な説明】
【技術分野】
【０００１】
本発明は、パスワードを生成し又は変更するための技法に関する。特には、本発明は、電子装置に設定されているデフォルトのパスワードよりも簡単なパスワードを生成し、又は、当該生成されたパスワードを変更することを可能にする技法に関する。
【背景技術】
【０００２】
近年、モバイル・デバイス、例えばスマートフォン、携帯電話又はタブレット端末の普及により、電車内などの公共の場において、当該モバイル・デバイスを使う機会が増えている。
【０００３】
モバイル・デバイスは、その小型さ故に紛失する可能性がある。そこで、モバイル・デバイスには一般的に、画面ロックをする為のパスワード（パスコードともいう）が設定されている。そして、当該パスワードによる認証をより強固にする為に、一般的には長い（例えば、６英数文字以上の組み合わせ）パスワードが設定されている場合が多い。
【０００４】
モバイル・デバイスのユーザは、当該パスワードをアンロックすることによって、モバイル・デバイスの全ての機能を使用することが可能になる。
【０００５】
また、近年、従業員が私物の情報端末などを社内に持ち込み、業務に利用するＢＹＯＤ（Bring Your Own Device）と呼ばれる運用が行われている。ＢＹＯＤを導入することによって、従業員は同種の端末を複数台持つ必要がなくなり、普段から使い慣れた端末で仕事ができるという有利点がある。しかしながら、業務中に利用できる機能やアクセスできるサイトを制限したり、業務中のデータにアクセスすることを社外で制限したりする必要がある。そこで、ＢＹＯＤに使われる端末には、パスワードを強固にする為に、一般的には長い（例えば、６英数文字以上の組み合わせ）パスワードが設定されている場合が多い。
【０００６】
下記特許文献１は、共通ファイルを扱う電子ファイル装置において、アイコン同士やウィンドウとの位置関係といったユーザフレンドリなインタフェースを用いて、リソースのまとまりに対するアクセス権制御を容易に行うことを記載する（段落００１０）。
【０００７】
下記特許文献２は、連絡先アイコンに対しての所定の操作が取得された場合に、自装置に接続されたタッチスクリーンのロック状態を解除するスクリーンロック解除手段を備えている携帯端末を記載する（段落００１２）。
【０００８】
下記特許文献３は、タッチスクリーンディスプレイを含む装置をロック解除する方法であって、タッチスクリーンの入力を感知するステップと、前記入力が前記装置のロックを解除する要求に該当するか否かを決定するステップと、前記入力が前記装置の機能と関連があるか否かを決定するステップと、前記入力が前記装置のロックを解除する要求に該当する場合に前記装置をロック解除するステップと、前記入力が前記装置の機能と関連がある場合に前記入力に関連するアプリケーションをロードするステップと、を有することを特徴とするロック解除方法を記載する（請求項１）。
【０００９】
下記特許文献４は、コンピューティングデバイスのタッチスクリーン上の１つ又は複数のジェスチャーを含む選択入力を受け取るステップと、前記選択入力に応答して、多重アクセスレベルロック画面ユーザーインターフェイス中の複数のロック画面ペインのうちの第１のロック画面ペインを選択するステップであって、前記複数のロック画面ペインの各々は複数のアクセスレベルのうちの異なるものに関連付けられ、前記複数のアクセスレベルの各々は前記コンピューティングデバイス上の対応する異なる機能を有する、ステップと、前記選択に応答して前記第１のロック画面ペインを表示するステップとを含むコンピューターにより実施される方法を記載する（請求項１）。
【００１０】
下記特許文献５は、パスワードの脆弱性の評価結果に応じたアクセス権限を付与する付与手段を備えるユーザ認証装置を記載する（請求項１）。
【００１１】
下記特許文献６は、コンピュータに、ＩＤと、前記ＩＤに予め設定された複数の権限情報のうちのいずれかの権限情報と、を受け付けた場合に、処理要求に対する処理が前記いずれかの権限情報に対応付けられた複数の許可対象の処理のうちのいずれかであるかに応じて、前記処理要求に対する処理の実行可否制御を行なう、ことを実行させることを特徴とする制御プログラムを記載する（請求項１）。
【００１２】
下記特許文献７は、識別情報とパスワード情報とに基づき対象システムにログインする認証プログラムであって、コンピュータに、識別情報、パスワード情報を受け付ける受付手段、識別情報とパスワード情報とから該パスワード情報に応じた権限情報を読み出す読出手段、識別情報と前記権限情報とを出力する出力手段、として機能させることを特徴とする認証プログラムを記載する（請求項１）。
【００１３】
下記特許文献８は、パスワードを入力する入力手段と、複数のパスワードを記憶するパスワード記憶手段と、使用状態を検出する使用状態検出手段と、前記パスワード記憶手段に記憶された複数のパスワードから前記使用状態検出手段が検出した使用状態に対応したパスワードを選択するパスワード選択手段と、前記入力手段から入力されたパスワードと前記パスワード選択手段が選択したパスワードを比較するパスワード比較手段と、前記パスワード比較手段の比較結果が一致している場合に正当ユーザーと認証するユーザー認証手段を有する情報処理装置を記載する（請求項１）。
【００１４】
下記特許文献９は、ユーザの操作を制限するロック機能を有する情報処理装置であって、予め定められた期間以上の間ユーザの操作が入力されない場合に当該情報処理装置をロック状態に遷移させるロック設定部と、予め設定された第１パスワードが入力されたことに応じて、前記ロック状態を解除するロック解除部と、当該情報処理装置の使用状況に応じて、前記ロック状態を解除するための前記第１パスワードの入力文字数を変更する変更部と、を備える情報処理装置を記載する（請求項１）。
【００１５】
下記特許文献１０は、ユーザが登録するパスワードの複雑性に関する情報をユーザが認識可能に表示する技術を記載する（段落０００１）。
【先行技術文献】
【特許文献】
【００１６】
【特許文献１】特開平１１−２２４２２２号公報
【特許文献２】特開２０１２−１３３７８７号公報
【特許文献３】特開２０１３−４５４７０号公報
【特許文献４】特表２０１３−５４０３２１号公報
【特許文献５】特開２０１１−２４２８３４号公報
【特許文献６】特開２０１１−２３８２５８号公報
【特許文献７】特開２００７−１２８２５９号公報
【特許文献８】特開２００１−３０６１７３号公報
【特許文献９】特開２０１３−１３１１６４号公報
【特許文献１０】特開２０１２−０８３９１７号公報
【発明の概要】
【発明が解決しようとする課題】
【００１７】
セキュリティ・レベルの低いアプリケーション・プログラム（アプリとも呼ばれる）を使いたい場合においても、長いパスワードを毎回入力することは煩わしい。また、長いパスワード入力は、ユーザの操作性を低下させる。
【００１８】
また、例えば電車や飛行機内などの公共の場や特定の場所（例えば社外、例えば講演会場、セミナー会場、又はクライアントの社内）においては、パスワード（例えば、特には機密度の高いオブジェクトへアクセスする為のパスワード）が第三者に盗み見されるのを防ぐために、当該パスワードを入力しないことが望まれる。
【００１９】
一方では、公共の場や特定の場においては、セキュリティ・レベルの高いオブジェクト（例えば、データ・コンテンツ）を見られたくない。
【００２０】
また、Ｍｉｃｒｏｓｏｆｔ（登録商標）  Ｗｉｎｄｏｗｓ（登録商標）  ８シリーズに代表されるアイコンによるタッチパネル操作を主体とするオペレーティング・システムがインストールされている電子装置が複数のユーザによって共有されている場合に、ユーザ権限に依存して、パスワード長（すなわち、パスワードの簡易度）を変更できることがユーザの操作性の面から好ましい。
【００２１】
さらには、上記電子装置が複数のユーザによって共有されている場合に、ユーザ権限に依存して、操作可能なアプリケーションや、アクセス可能なオブジェクトが制限できるようにすることが好ましい。
【００２２】
そこで、本発明は、セキュリティ・レベルの低いアプリケーション・プログラムや、アプリケーション・プログラム（特には、セキュリティ・レベルの低いアプリケーション・プログラム）上で利用可能なオブジェクト（アプリケーション・プログラム又はコンテンツ）をユーザが利用するために必要な操作を簡易にするパスワードを提供することを目的とする。
【００２３】
また、本発明は、セキュリティ・レベルの低いアプリケーション・プログラムや、アプリケーション・プログラム（特には、セキュリティ・レベルの低いアプリケーション・プログラム）上で利用可能なオブジェクト（アプリケーション・プログラム又はコンテンツ）をユーザが利用する為の簡易なパスワードを新たに生成するとともに、当該パスワードに応じて、セキュリティ・レベルの高いオブジェクトを扱うアプリケーション・プログラム若しくはその機能の一部、又は、機密度の高いオブジェクトの利用を制限することを可能にする技法を提供することを目的とする。
【課題を解決するための手段】
【００２４】
本発明は、パスワードを生成し又は変更するための技法を提供する。当該技法は、上記パスワードを生成し又は変更する方法、並びに、上記パスワードを生成し又は変更するためのコンピュータ、コンピュータ・プログラム及びコンピュータ・プログラム製品を包含しうる。
【００２５】
（本発明に従う第１の態様）
【００２６】
本発明に従う第１の態様において、パスワードを生成する方法であって、電子装置が、オブジェクトを表示するステップであって、上記表示されたオブジェクトは、第１のオブジェクト、当該第１のオブジェクト上で利用可能な第２のオブジェクト、又はそれらの組み合わせを含む、上記オブジェクトを表示するステップと、パスワードの簡易度を設定することを可能にするステップであって、上記第１のオブジェクトの第１のオブジェクト・アイコン上に、当該第１のオブジェクト上で利用可能な少なくとも１つの第２のオブジェクトの第２のオブジェクト・アイコンを重畳して表示するステップを含み、上記重畳して表示するステップは、上記重畳した第２のオブジェクト・アイコン上に、当該重畳した第２のオブジェクトが上記簡易度に応じて利用可能かを示す表示を重畳して表示するステップ、又は上記重畳した第２のオブジェクトが上記簡易度に応じて利用可能かを区別できるように当該重畳した第２のオブジェクト・アイコンを変更するステップを含む、上記設定することを可能にするステップと、上記設定された簡易度に従うパスワードを生成するステップとを実行することを含む。
【００２７】
（スライダー・バーの例示）本発明の一つの実施態様において、上記パスワードの簡易度を設定することを可能にするステップが、上記パスワードの簡易度を変更可能な簡易度設定表示を表示するステップをさらに含みうる。
【００２８】
（スライダー・バーのスライドによる簡易度変更の例示）本発明の一つの実施態様において、上記電子装置が、上記簡易度設定表示により特定された簡易度に応じて、上記重畳した第２のオブジェクトが上記簡易度に応じて利用可能かを示す上記表示、若しくは上記第１のオブジェクトが上記簡易度に応じて利用可能かを示す表示を動的に変更するステップ、又は、上記重畳した第２のオブジェクトが上記簡易度に応じて利用可能かを区別できるように当該重畳した第２のオブジェクト・アイコン、若しくは上記第１のオブジェクトが上記簡易度に応じて利用可能かを区別できるように当該第１のオブジェクト・アイコンを動的に変更するステップをさらに実行することを含みうる。
【００２９】
（スライダー・バーのスライドによるさらなる簡易度変更の例示）本発明の一つの実施態様において、上記電子装置が、上記パスワードの簡易度が変更されたことを検出し、当該変更された簡易度に応じて、上記重畳した第２のオブジェクトが上記簡易度に応じて利用可能かを示す上記表示、若しくは上記第１のオブジェクトが上記簡易度に応じて利用可能かを示す表示を動的に変更するステップ、又は、上記重畳した第２のオブジェクトが上記簡易度に応じて利用可能かを区別できるように当該重畳した第２のオブジェクト・アイコン、若しくは上記第１のオブジェクトが上記簡易度に応じて利用可能かを区別できるように当該第１のオブジェクト・アイコンを動的に変更するステップと、上記生成したパスワードを、上記変更された簡易度に従うパスワードに変更するステップとをさらに実行することを含みうる。
【００３０】
（ドラッグ・アンド・ドロップの例示：簡易度の再計算）本発明の一つの実施態様において、上記パスワードの簡易度を設定することを可能にするステップが、上記第２のオブジェクト・アイコンが上記第１のオブジェクト・アイコン上に移動されることに応じて、当該移動された第２のオブジェクトが利用可能になるように、上記簡易度を計算するステップを含みうる。
【００３１】
（ドラッグ・アンド・ドロップの例示：表示の変更）本発明の一つの実施態様において、上記第２のオブジェクト・アイコンが上記第１のオブジェクト・アイコン上に移動されることに応じて、上記移動した第２のオブジェクトが上記簡易度に応じて利用可能かを示す上記表示を利用可能であることを示す表示に変更するステップ、又は、上記移動した第２のオブジェクトが上記簡易度に応じて利用可能であることを示すように当該移動した第２のオブジェクト・アイコンを動的に変更するステップをさらに実行することを含みうる。
【００３２】
（ドラッグ・アンド・ドロップの例示：セキュリティ・レベル）本発明の一つの実施態様において、上記簡易度を計算するステップが、上記移動した第２のオブジェクトに関連付けられたセキュリティ・レベルが、上記設定された簡易度に関連付けられたセキュリティ・レベルを満たすように、上記簡易度を計算するステップを含みうる。
【００３３】
（チェックボックスの例示：簡易度の再計算）本発明の一つの実施態様において、上記パスワードの簡易度を設定することを可能にするステップが、上記設定された簡易度で利用不可能な第２又は第１のオブジェクトのオブジェクト・アイコンが選択されることに応じて、又は上記設定された簡易度で利用不可能な第２又は第１のオブジェクトのオブジェクト・アイコン上の上記簡易度に応じて利用可能かを示す表示が利用可能であるように変更されることに応じて、上記選択された又は上記変更された第２又は第１のオブジェクトが利用可能になるように、上記簡易度を計算するステップをさらに含みうる。
【００３４】
（チェックボックスの例示：表示の変更）本発明の一つの実施態様において、上記簡易度を計算するステップが、上記選択された又は上記変更された第２又は第１のオブジェクトに関連付けられたセキュリティ・レベル若しくはその組み合わせに基づき計算されるセキュリティ・レベルが、上記設定された簡易度に関連付けられたセキュリティ・レベルを満たすように、上記簡易度を計算するステップを含みうる。
【００３５】
（チェックボックスの例示：表示）本発明の一つの実施態様において、上記簡易度に応じて利用可能かを示す表示がチェックボックスであり、上記重畳した第２のオブジェクトが上記簡易度に応じて利用できることを示す表示が、上記チェックボックスがオンにされていることであり、一方、上記重畳した第２のオブジェクトが上記簡易度に応じて利用できないことを示す表示が、上記チェックボックスがオフにされていることでありうる。
【００３６】
（アイコン表示の色の変更）本発明の一つの実施態様において、上記重畳した第２のオブジェクトが上記簡易度に応じて利用可能かを区別できるように当該重畳した第２のオブジェクト・アイコンを変更するステップが、上記重畳した第２のアイコンの色を変更するステップを含みうる。
【００３７】
（アイコン・オン・アイコン・オン・アイコン）本発明の一つの実施態様において、上記電子装置が、上記第２のオブジェクト・アイコンが拡大表示されることに応じて、当該拡大表示された第２のオブジェクト・アイコン上に、当該第２のオブジェクト上で利用可能な少なくとも１つの第３のオブジェクトの第３のオブジェクト・アイコンを重畳して表示するステップをさらに実行することを含みうる。
【００３８】
（アクセス・グループとセキュリティ・レベル）本発明の一つの実施態様において、上記設定された簡易度で利用可能な第１又は第２のオブジェクト若しくはそれらの組み合わせがアクセス・グループを形成し、上記アクセス・グループに属する第１のオブジェクトに関連付けられたセキュリティ・レベル、上記アクセス・グループに属する上記第２のオブジェクトに関連付けられたセキュリティ・レベル、又はそれらの組み合わせに基づき計算されるセキュリティ・レベルが上記設定された簡易度に関連付けられたセキュリティ・レベルを満たしうる。
【００３９】
（複数の簡易パスワードの生成）本発明の一つの実施態様において、上記設定された簡易度に従うパスワードを生成するステップが、複数のパスワードを生成するステップであって、上記複数のパスワードそれぞれに異なるアクセス・グループが関連付けられる、上記生成するステップを含みうる。
【００４０】
（フルパスワードの入力）本発明の一つの実施態様において、上記パスワードの簡易度を設定することを可能にするステップが、第１のパスワードが入力され且つ認証されることに応じて設定可能になり、上記設定されるパスワードが、上記第１のパスワードよりもセキュリティ・レベルが低い。
【００４１】
（本発明に従う第２の態様）
【００４２】
本発明に従う第２の態様において、パスワードを設定可能な電子装置であって、オブジェクトを表示する表示手段であって、上記表示されたオブジェクトは、第１のオブジェクト、当該第１のオブジェクト上で利用可能な第２のオブジェクト、又はそれらの組み合わせを含む、上記表示手段と、パスワードの簡易度を設定することを可能にする簡易度設定手段と、上記設定された簡易度に従うパスワードを生成するパスワード生成手段とを備えており、上記表示手段が、上記第１のオブジェクトの第１のオブジェクト・アイコン上に、当該第１のオブジェクト上で利用可能な少なくとも１つの第２のオブジェクトの第２のオブジェクト・アイコンを重畳して表示すること、上記重畳した第２のオブジェクト・アイコン上に、当該重畳した第２のオブジェクトが上記簡易度に応じて利用可能かを示す表示を重畳して表示すること、及び、上記重畳した第２のオブジェクトが上記簡易度に応じて利用可能かを区別できるように当該重畳した第２のオブジェクト・アイコンを変更して表示することを実行する。
【００４３】
本発明の一つの実施態様において、上記表示手段が、上記パスワードの簡易度を変更可能な簡易度設定表示を表示することをさらに実行しうる。従って、上記パスワードの簡易度の設定が、上記パスワードの簡易度を変更可能な簡易度設定表示を使用して行われうる。
【００４４】
本発明の一つの実施態様において、上記表示手段が、上記簡易度設定表示により特定された簡易度に応じて、上記重畳した第２のオブジェクトが上記簡易度に応じて利用可能かを示す上記表示、若しくは上記第１のオブジェクトが上記簡易度に応じて利用可能かを示す表示を動的に変更すること、又は、上記重畳した第２のオブジェクトが上記簡易度に応じて利用可能かを区別できるように当該重畳した第２のオブジェクト・アイコン、若しくは上記第１のオブジェクトが上記簡易度に応じて利用可能かを区別できるように当該第１のオブジェクト・アイコンを動的に変更することをさらに実行しうる。
【００４５】
本発明の一つの実施態様において、上記電子装置が、上記パスワードの簡易度が変更されたことを検出する検出手段をさらに備えており、上記表示手段が、当該変更された簡易度に応じて、上記重畳した第２のオブジェクトが上記簡易度に応じて利用可能かを示す上記表示、若しくは上記第１のオブジェクトが上記簡易度に応じて利用可能かを示す表示を動的に変更すること、又は、上記重畳した第２のオブジェクトが上記簡易度に応じて利用可能かを区別できるように当該重畳した第２のオブジェクト・アイコン、若しくは上記第１のオブジェクトが上記簡易度に応じて利用可能かを区別できるように当該第１のオブジェクト・アイコンを動的に変更することを実行し、上記パスワード生成手段が、上記生成したパスワードを、上記変更された簡易度に従うパスワードに変更することをさらに実行しうる。
【００４６】
本発明の一つの実施態様において、上記簡易度設定手段が、上記第２のオブジェクト・アイコンが上記第１のオブジェクト・アイコン上に移動されることに応じて、当該移動された第２のオブジェクトが利用可能になるように、上記簡易度を計算することを実行しうる。
【００４７】
本発明の一つの実施態様において、上記表示手段が、上記第２のオブジェクト・アイコンが上記第１のオブジェクト・アイコン上に移動されることに応じて、上記移動した第２のオブジェクトが上記簡易度に応じて利用可能かを示す上記表示を利用可能であることを示す表示に変更すること、又は、上記移動した第２のオブジェクトが上記簡易度に応じて利用可能であることを示すように当該移動した第２のオブジェクト・アイコンを動的に変更することをさらに実行しうる。
【００４８】
本発明の一つの実施態様において、上記簡易度設定手段が、上記移動した第２のオブジェクトに関連付けられたセキュリティ・レベルが、上記設定された簡易度に関連付けられたセキュリティ・レベルを満たすように、上記簡易度を計算することを実行しうる。
【００４９】
本発明の一つの実施態様において、上記簡易度設定手段が、上記設定された簡易度で利用不可能な第２又は第１のオブジェクトのオブジェクト・アイコンが選択されることに応じて、又は上記設定された簡易度で利用不可能な第２又は第１のオブジェクトのオブジェクト・アイコン上の上記簡易度に応じて利用可能かを示す表示が利用可能であるように変更されることに応じて、上記選択された又は上記変更された第２又は第１のオブジェクトが利用可能になるように、上記簡易度を計算することをさらに実行しうる。
【００５０】
本発明の一つの実施態様において、上記簡易度設定手段が、上記選択された又は上記変更された第２又は第１のオブジェクトに関連付けられたセキュリティ・レベル若しくはその組み合わせに基づき計算されるセキュリティ・レベルが、上記設定された簡易度に関連付けられたセキュリティ・レベルを満たすように、上記簡易度を計算することを実行しうる。
【００５１】
本発明の一つの実施態様において、上記簡易度に応じて利用可能かを示す表示がチェックボックスであり、上記重畳した第２のオブジェクトが上記簡易度に応じて利用できることを示す表示が、上記チェックボックスがオンにされていることであり、一方、上記重畳した第２のオブジェクトが上記簡易度に応じて利用できないことを示す表示が、上記チェックボックスがオフにされていることでありうる。
【００５２】
本発明の一つの実施態様において、上記重畳した第２のオブジェクトが上記簡易度に応じて利用可能かを区別できるように当該重畳した第２のオブジェクト・アイコンを変更することが、上記重畳した第２のアイコンの色を変更することを含みうる。
【００５３】
本発明の一つの実施態様において、上記表示手段が、上記第２のオブジェクト・アイコンが拡大表示されることに応じて、当該拡大表示された第２のオブジェクト・アイコン上に、当該第２のオブジェクト上で利用可能な少なくとも１つの第３のオブジェクトの第３のオブジェクト・アイコンを重畳して表示することをさらに実行しうる。
【００５４】
本発明の一つの実施態様において、上記設定された簡易度で利用可能な第１又は第２のオブジェクト若しくはそれらの組み合わせがアクセス・グループを形成し、上記アクセス・グループに属する第１のオブジェクトに関連付けられたセキュリティ・レベル、上記アクセス・グループに属する上記第２のオブジェクトに関連付けられたセキュリティ・レベル、又はそれらの組み合わせに基づき計算されるセキュリティ・レベルが上記設定された簡易度に関連付けられたセキュリティ・レベルを満たしうる。
【００５５】
本発明の一つの実施態様において、上記パスワード生成手段が、複数のパスワードを生成することを実行しうる。当該生成された複数のパスワードそれぞれに、異なるアクセス・グループが関連付けられている。
【００５６】
本発明の一つの実施態様において、上記パスワード生成手段が、第１のパスワードが入力され且つ認証されることに応じて生成可能になり、上記設定されるパスワードが、上記第１のパスワードよりもセキュリティ・レベルが低い。
【００５７】
（本発明に従う第３の態様）
【００５８】
本発明に従う第３の態様において、パスワードを設定するための電子装置用プログラム又は電子装置用プログラム製品は、電子装置に、上記方法の各ステップを実行させる。上記電子装置がユーザ端末である場合には、当該電子装置用プログラムはユーザ端末用プログラムでありうる。
【００５９】
本発明の実施態様に従う電子装置用プログラムは、一つ又は複数のフレキシブル・ディスク、ＭＯ、ＣＤ−ＲＯＭ、ＤＶＤ、ＢＤ、ハードディスク装置、ＵＳＢに接続可能なメモリ媒体、ＲＯＭ、ＭＲＡＭ、ＲＡＭ等の任意の電子装置読み取り可能な記録媒体に格納することができる。当該電子装置用プログラムは、上記記録媒体への格納のために、通信回線で接続する他の電子装置、例えばサーバからダウンロードしたり、又は他の記録媒体から複製したりすることができる。また、本発明の実施態様に従う電子装置用プログラムは、圧縮し、又は複数に分割して、単一又は複数の記録媒体に格納することもできる。また、様々な形態で、本発明の実施態様に従う電子装置用プログラム製品を提供することも勿論可能であることにも留意されたい。本発明の実施態様に従う電子装置用プログラム製品は、例えば、上記電子装置用プログラムを記録した記憶媒体、又は、上記電子装置用プログラムを伝送する伝送媒体を包含しうる。
【００６０】
本発明の上記概要は、本発明の必要な特徴の全てを列挙したものではなく、これらの構成要素のコンビネーション又はサブコンビネーションもまた、本発明となりうることに留意すべきである。
【００６１】
本発明の実施態様において使用される電子装置の各ハードウェア構成要素を、複数のマシンと組み合わせ、それらに機能を配分し実施する等の種々の変更は当業者によって容易に想定され得ることは勿論である。それらの変更は、当然に本発明の思想に包含される概念である。ただし、これらの構成要素は例示であり、そのすべての構成要素が本発明の必須構成要素となるわけではない。
【００６２】
また、本発明は、ハードウェア、ソフトウェア、又は、ハードウェア及びソフトウェアの組み合わせとして実現可能である。ハードウェアとソフトウェアとの組み合わせによる実行において、上記電子装置用プログラムのインストールされた電子装置における実行が典型的な例として挙げられる。かかる場合、当該電子装置用プログラムが当該電子装置のメモリにロードされて実行されることにより、当該電子装置用プログラムは、当該電子装置を制御し、本発明にかかる処理を実行させる。当該電子装置用プログラムは、任意の言語、コード、又は、表記によって表現可能な命令群から構成されうる。そのような命令群は、当該電子装置が特定の機能を直接的に、又は、１．他の言語、コード若しくは表記への変換及び、２．他の媒体への複製、のいずれか一方若しくは双方が行われた後に、本発明の実施態様に従う処理を実行することを可能にするものである。
【発明の効果】
【００６３】
本発明の実施態様に従いパスワードの簡易度を設定することによって、セキュリティ・レベルの低いオブジェクト（例えば、アプリケーション・プログラム又はコンテンツ）を、当該簡易度に従い生成された簡易なパスワード（例えば、短いパスワードや覚えやすいパスワード）の入力によって利用することが可能になる。従って、ユーザの操作性の向上を図ることができる。
【００６４】
また、本発明の実施態様に従うと、使用したいオブジェクトをグラフィカル・ユーザ・インタフェース上で確認しながら指定することによって、ユーザは、セキュリティ・レベルを意識すること無しに、特定のオブジェクト（例えば、セキュリティ・レベルの高いオブジェクト）を利用することが可能になるとともに、当該特定のオブジェクトのセキュリティ・レベルに従う簡易パスワードを自動的に生成することが可能になる。
【００６５】
また、本発明の実施態様に従いパスワードの簡易度を設定することによって、パスワードの簡易度に従い特定のオブジェクト（例えば、セキュリティ・レベルの高いオブジェクト）が使用することができなくなる。従って、特定のオブジェクトのセキュリティを向上させることができる。
【００６６】
また、本発明の実施態様に従うと、セキュリティ・レベルの異なる簡易なパスワードを複数個生成することが可能である。従って、セキュリティ・レベルの異なる簡易なパスワードをユーザ毎又は異なる権限を有するユーザ若しくはグループ毎に使い分けることによって、ユーザ毎又は異なる権限を有するユーザ若しくはグループ毎に特定のオブジェクトの利用を許可するかどうかを設定することが可能になる。
【図面の簡単な説明】
【００６７】
【図１Ａ】本発明の実施態様において使用されうる電子装置の一例を示した図である。
【図１Ｂ】本発明の実施態様において使用されうる電子装置の一例を示した図である。
【図２】従来技術に従い、電子装置をアンロックし、全ての機能を使用することを可能にするためのフルパスワードを入力する画面例を示す。
【図３Ａ】本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用可能なオブジェクトが当該簡易度に応じて変化する態様を示す。
【図３Ｂ】本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用可能なオブジェクトが当該簡易度に応じて変化し、利用可能なオブジェクトのオブジェクト・アイコンを実線で表示し、一方、利用可能でないオブジェクトのオブジェクト・アイコンを点線で表示する態様を示す。
【図３Ｃ】本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用可能なオブジェクトが当該簡易度に応じて変化し、当該ユーザが利用可能なオブジェクトのオブジェクト・アイコンを当該アイコンが有する本来の色で表示し、一方、当該ユーザが利用可能でないオブジェクトのオブジェクト・アイコンを当該アイコンが本来有する色でなく例えばモノクロや影付きで表示する態様を示す。
【図３Ｄ】本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用しうるオブジェクトのオブジェクト・アイコンに付随するチェックボックスが当該簡易度に応じてオンに変化する態様を示す。
【図３Ｅ】本発明の実施態様に従い、図３Ｄに示す画面（３０８）上において、パスワードの簡易度がさらに「複雑」になるようにスライダー・バーが「簡単」から「複雑」の方向にさらにスライドされることに応じて、簡易パスワードが当該簡易度に応じて変更される態様、及び、ユーザが利用しうるオブジェクトのオブジェクト・アイコンに付随するチェックボックスが当該簡易度に応じてオンに変化する態様を示す。
【図４Ａ】本発明の実施態様に従い生成されたパスワードを入力して、当該入力されたパスワードで利用可能なオブジェクトのオブジェクト・アイコンを画面上に又は当該簡易度で利用可能なオブジェクトが利用可能なオブジェクトのオブジェクト・アイコン上に表示する画面例を示す。
【図４Ｂ】本発明の実施態様に従い生成されたパスワードを入力して、当該入力されたパスワードで利用可能なオブジェクトのオブジェクト・アイコンを画面上に又は当該簡易度で利用可能なオブジェクトが利用可能なオブジェクトのオブジェクト・アイコン上に表示する画面例を示す。
【図５Ａ】本発明の実施態様に従い、利用したいオブジェクト・アイコンが所定の位置又は別のオブジェクト・アイコン上に移動されることに応じて、上記電子装置が、当該電子装置全体に対する簡易度を再計算し、当該再計算された簡易度に応じたパスワードを生成する態様を示す。
【図５Ｂ】本発明の実施態様に従い、利用したいオブジェクト・アイコンが選択されることによって、上記電子装置が、当該電子装置全体に対する簡易度を再計算し、当該再計算された簡易度に応じたパスワードを生成する態様を示す。
【図５Ｃ】本発明の実施態様に従い、利用したいオブジェクト・アイコンが選択されることによって、上記電子装置が、当該電子装置全体に対する簡易度を再計算し、当該再計算された簡易度に応じたパスワードを生成する態様を示す。
【図５Ｄ】本発明の実施態様に従い、利用したいオブジェクト・アイコンに付随するチェックボックスがオンにされることによって、上記電子装置が、当該電子装置全体に対する簡易度を再計算し、当該再計算された簡易度に応じたパスワードを生成する態様を示す。
【図５Ｅ】本発明の実施態様に従い、図５Ｄに示す画面上において、利用したいオブジェクトのオブジェクト・アイコンに付随するチェックボックスがオンにされることによって、上記電子装置が、当該電子装置全体に対する簡易度を再計算し、当該再計算された簡易度に応じたパスワードを生成する態様を示す。
【図６Ａ】本発明の実施態様に従い生成されたパスワードを入力して、当該入力されたパスワードで利用可能なオブジェクトのオブジェクト・アイコンを画面上に又は当該簡易度で利用可能なオブジェクトが利用可能なオブジェクトのオブジェクト・アイコン上に表示する画面例を示す。
【図６Ｂ】本発明の実施態様に従い生成されたパスワードを入力して、当該入力されたパスワードで利用可能なオブジェクトのオブジェクト・アイコンを画面上に又は当該簡易度で利用可能なオブジェクトが利用可能なオブジェクトのオブジェクト・アイコン上に表示する画面例を示す。
【図７Ａ】本発明の実施態様に従い、パスワードの簡易度を設定することを可能にするスライダー・バーを使用してパスワードの簡易度を設定し、次に、ドラッグ・アンド・ドロップによって利用したいオブジェクトが別のオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する態様を示す。
【図７Ｂ】本発明の実施態様に従い、パスワードの簡易度を設定することを可能にするスライダー・バーを使用してパスワードの簡易度を設定し、次に、ドラッグ・アンド・ドロップによって利用したいオブジェクトが別のオブジェクトで利用可能なオブジェクトのオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する態様を示す。
【図７Ｃ】本発明の実施態様に従い、パスワードの簡易度を設定することを可能にするスライダー・バーを使用してパスワードの簡易度を設定し、次に、ドラッグ・アンド・ドロップによって利用したいオブジェクトが別のオブジェクトで利用可能なオブジェクトのオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する態様を示す。
【図８】本発明の実施態様において使用されうる、パスワードの簡易度とセキュリティ・レベルとの関係、並びに、パスワードの簡易度又はセキュリティ・レベルとアクセス・グループとの関係を示す模式図である。
【図９Ａ】本発明の実施態様に従い生成されたパスワードを生成する処理の為のフローチャートの例を示す。
【図９Ｂ】図９Ａに示す本発明の実施態様に従い生成されたパスワードでログインする処理の為のフローチャートの例を示す。
【図１０Ａ】図１Ａ又は図１Ｂに従うハードウェア構成を好ましくは備えており、本発明の実施態様に従いパスワードを生成する電子装置の機能ブロック図の一例を示した図である。
【図１０Ｂ】図１Ａ又は図１Ｂに従うハードウェア構成を好ましくは備えており、本発明の実施態様に従い生成されたパスワードを入力して、当該入力されたパスワードで利用可能なオブジェクトを表示装置上に表示し且つ利用可能にする電子装置の機能ブロック図の一例を示した図である。
【発明を実施するための形態】
【００６８】
本発明の実施形態を、以下に図面に従って説明する。以下の図を通して、特に断らない限り、同一の符号は同一の対象を指す。本発明の実施形態は、本発明の好適な態様を説明するためのものであり、本発明の範囲をここで示すものに限定する意図はないことを理解されたい。
【００６９】
図１Ａ及び図１Ｂは、本発明の実施態様において使用されうる電子装置の一例を示した図である。当該電子装置は例えば、コンピュータ（例えば、デスクトップ・コンピュータ、ノート・コンピュータ、一体型パソコン、又はサーバ）、又は、タブレット端末、スマートフォン若しくはゲーム機でありうるが、これらに制限されるものではない。
【００７０】
図１Ａは、本発明の実施態様において使用されうる電子装置のうち、例えばコンピュータの一例を示した図である。
【００７１】
電子装置（１０１）は、ＣＰＵ（１０２）とメイン・メモリ（１０３）とを備えており、これらはバス（１０４）に接続されている。ＣＰＵ（１０２）は例えば、３２ビット又は６４ビットのアーキテクチャに基づくものである。当該ＣＰＵ（１０２）は例えば、インテル社のＣｏｒｅ（商標）  ｉシリーズ、Ｃｏｒｅ（商標）  ２シリーズ、Ａｔｏｍ（商標）シリーズ、Ｘｅｏｎ（登録商標）シリーズ、Ｐｅｎｔｉｕｍ（登録商標）シリーズ若しくはＣｅｌｅｒｏｎ（登録商標）シリーズ、ＡＭＤ（Advanced Micro Devices）社のＡシリーズ、Ｐｈｅｎｏｍ（商標）シリーズ、Ａｔｈｌｏｎ（商標）シリーズ、Ｔｕｒｉｏｎ（登録商標）シリーズ若しくはＳｅｍｐｒｏｎ（商標）、又は、インターナショナル・ビジネス・マシーンズ・コーポレーションのＰｏｗｅｒ（商標）シリーズでありうる。
【００７２】
バス（１０４）には、ディスプレイ・コントローラ（１０５）を介して、ディスプレイ（１０６）、例えば液晶ディスプレイ（ＬＣＤ）が接続されうる。また、液晶ディスプレイ（ＬＣＤ）は例えば、タッチパネル・ディスプレイ又はフローティング・タッチ・ディスプレイであてもよい。ディスプレイ（１０６）は、電子装置（１０１）上で動作中のソフトウェア（例えば、本発明の実施態様に従う電子装置用プログラム又は当該電子装置（１０１）上で動作中の任意の各種電子装置用プログラム（例えば、任意の各種コンピュータ・プログラム）が稼働することによって表示されるオブジェクトを、適当なグラフィック・インタフェースで表示するために使用されうる。また、ディスプレイ（１０６）は例えば、ウェブ・ブラウザ・アプリケーションの画面を出力しうる。
【００７３】
バス（１０４）には任意的に、例えばＳＡＴＡ又はＩＤＥコントローラ（１０７）を介して、ディスク（１０８）、例えばハードディスク又はソリッド・ステート・ドライブ（ＳＳＤ）が接続されうる。
【００７４】
バス（１０４）には任意的に、例えばＳＡＴＡ又はＩＤＥコントローラ（１０７）を介して、ドライブ（１０９）、例えばＣＤ、ＤＶＤ又はＢＤドライブが接続されうる。
【００７５】
バス（１０４）には、周辺装置コントローラ（１１０）を介して、例えばキーボード・マウス・コントローラ又はＵＳＢバスを介して、任意的に、キーボード（１１１）及びマウス（１１２）が接続されうる。
【００７６】
ディスク（１０８）には、オペレーティング・システム、例えばＷｉｎｄｏｗｓ（登録商標）、ＵＮＩＸ（登録商標）、ＭａｃＯＳ（登録商標）、及びＡｎｄｒｏｉｄ（登録商標）、並びにＪ２ＥＥなどのＪａｖａ（登録商標）処理環境、Ｊａｖａ（登録商標）アプリケーション、Ｊａｖａ（登録商標）仮想マシン（ＶＭ）、Ｊａｖａ（登録商標）実行時（ＪＩＴ）コンパイラを提供するプログラム、本発明の実施態様に従う電子装置用プログラム、及びその他の任意の各種電子装置用プログラム、並びにデータが、メイン・メモリ（１０３）にロード可能なように記憶されうる。
【００７７】
ディスク（１０８）は、電子装置（１０１）内に内蔵されていてもよく、当該電子装置（１０１）がアクセス可能なようにケーブルを介して接続されていてもよく、又は、当該電子装置（１０１）がアクセス可能なように有線又は無線ネットワークを介して接続されていてもよい。
【００７８】
ドライブ（１０９）は、必要に応じて、ＣＤ−ＲＯＭ、ＤＶＤ−ＲＯＭ又はＢＤからプログラム、例えばオペレーティング・システム、アプリケーション又は本発明の実施態様に従う電子装置用プログラムをディスク（１０８）にインストールするために使用されうる。
【００７９】
通信インタフェース（１１４）は、例えばイーサネット（登録商標）・プロトコルに従う。通信インタフェース（１１４）は、通信コントローラ（１１３）を介してバス（１０４）に接続され、電子装置（１０１）を通信回線（１１５）に有線又は無線接続する役割を担い、電子装置（１０１）のオペレーティング・システムの通信機能のＴＣＰ／ＩＰ通信プロトコルに対して、ネットワーク・インタフェース層を提供する。なお、通信回線は例えば、無線ＬＡＮ接続規格に基づく無線ＬＡＮ環境、ＩＥＥＥ８０２．１１ａ／ｂ／ｇ／ｎなどのＷｉ-Ｆｉ無線ＬＡＮ環境、又は携帯電話網環境（例えば、３Ｇ又は４Ｇ環境）でありうる。
【００８０】
図１Ｂは、本発明の実施態様において使用されうる電子装置のうち、例えばタブレット端末、スマートフォン、携帯電話又はゲーム機の一例を示した図である。
【００８１】
図１Ｂに示す電子装置（１２１）のＣＰＵ（１２２）、メイン・メモリ（１２３）、バス（１２４）、ディスプレイ・コントローラ（１２５）、ディスプレイ（１２６）、ＳＳＤ（１２８）、通信コントローラ（１３３）、通信インタフェース（１３４）及び通信回線（１３５）それぞれは、図１Ａに示す電子装置（１０１）のＣＰＵ（１０２）、メイン・メモリ（１０３）、バス（１０４）、ディスプレイ・コントローラ（１０５）、ディスプレイ（１０６）、ＳＳＤ（１０８）、通信コントローラ（１１３）、通信インタフェース（１１４）及び通信回線（１１５）に対応する。
【００８２】
電子装置（１２１）がスマートフォン、携帯電話又はタブレット端末等の場合、ＣＰＵ（１２２）は例えば、タブレット端末、スマートフォン又は携帯電話用の各種ＣＰＵ、又はアップル社（登録商標）のＡシリーズでありうる。
【００８３】
ＳＳＤ（１２８）ディスクには例えば、スマートフォン用ＯＳ（例えば、Ａｎｄｒｏｉｄ（登録商標）、Ｗｉｎｄｏｗｓ（登録商標）Ｐｈｏｎｅ若しくはＷｉｎｄｏｗｓ（登録商標）、又はｉＯＳ）、本発明の実施態様に従うアプリケーション・プログラム、及びその他のプログラム、並びにデータが、メイン・メモリ（１２３）にロード可能なように記憶されうる。
【００８４】
キーボード実現手段（１３０）は、アプリの一つとして、ディスプレイ（１２６）上にソフトウェアキーボードを表示しうる。
【００８５】
図２は、従来技術に従い、電子装置をアンロック（開錠）し、全ての機能を使用することを可能にするためのフルパスワード（本明細書において、本発明に従い生成される簡易パスワードと区別する為に、通常のパスワードともいう）を入力する画面例を示す。
【００８６】
電子装置は、当該電子装置で利用可能なオブジェクト（例えば、アプリケーション又は当該アプリケーション上で利用可能なアプリケーション若しくはデータ・コンテンツ）にユーザがアクセス可能になるようにする為のパスワード入力画面（２０１）を画面上に表示する。パスワード入力画面（２０１）は例えば、数字、文字、若しくは記号、又は、それらの組み合わせからなる文字列を含みうる。電子装置は、パスワードが例えばキーボードを介して又は画面タッチを介して入力され且つ当該入力されたパスワードの認証が認証されることに応じて、上記パスワード入力画面から上記電子装置で利用可能なオブジェクトを表示する為の画面（例えば、デスクトップ画面又はスタート画面）に遷移する。ユーザは、当該遷移後の画面から任意のオブジェクトを利用可能である。
【００８７】
代替的には、電子装置は、当該電子装置で利用可能なオブジェクト（例えば、アプリケーション又は当該アプリケーション上で利用可能なアプリケーション若しくはデータ・コンテンツ）にユーザがアクセス可能になるようにする為のパスワード入力画面（２０２）を表示する。パスワード入力画面（２０２）は例えば、数字、文字、若しくは記号、又は、それらの組み合わせからなる文字列が入力可能なウィンドウでありうる。電子装置は、パスワードが例えばキーボードを介して又は画面上に表示されたキーボードを介して入力され且つ当該入力されたパスワードの認証が認証されることに応じて、上記パスワード入力画面から上記電子装置で利用可能なオブジェクトを表示する為の画面に遷移する。ユーザは、当該遷移後の画面から任意のオブジェクトを利用可能である。
【００８８】
代替的には、電子装置は、当該電子装置で利用可能なオブジェクト（例えば、アプリケーション又は当該アプリケーション上で利用可能なアプリケーション若しくはデータ・コンテンツ）にユーザがアクセス可能になるようにする為に、音声認識によるパスワード入力を受け付ける。電子装置は、パスワードがマイクロフォンを介して入力され且つ当該入力されたパスワードの認証が認証されることに応じて、上記電子装置で利用可能なオブジェクトを表示する為の画面に遷移する。ユーザは、ロック画面から当該遷移後の画面から任意のオブジェクトを利用可能である。
【００８９】
上記通常のパスワードは典型的には、当該パスワードによる認証をより強固にする為に、一般的には長い（例えば、６英数文字以上の組み合わせであるがこれに限定されない）パスワードが設定されている。
【００９０】
図３Ａ〜図３Ｅ、図５Ａ〜図５Ｂ、及び図７Ａ〜図７Ｃそれぞれは、本発明の実施態様に従い、上記通常のパスワードよりも簡易なパスワード（以下、簡易パスワードともいう）を生成する実施態様を示す。
【００９１】
図４Ａ〜図４Ｂ及び図６Ａ〜図６Ｂそれぞれは、本発明の実施態様に従い生成された簡易パスワードを使用してログインする（アンロックする）実施態様を示す。
【００９２】
以下において、「電子装置」という場合には、図１Ａに示す電子装置（１０１）又は図１Ｂに示す電子装置（１２１）を意図しうる。
【００９３】
本発明の実施態様において、「簡易パスワード」とは上記通常のパスワードの文字数よりも短いもの、上記通常のパスワードの文字数と同じかそれ以上であっても覚えやすいもの、又は、文字列の代わりに、特定の操作をすることを包含する。上記簡易パスワードの例を下記に示すが、当該簡易パスワードは下記例に制限されるものでない。
【００９４】
当該簡易パスワードは例えば、上記通常のパスワードと比べて下記の特徴を有しうる。
【００９５】
（１）簡易パスワードは、上記通常のパスワードよりも短いフレーズである。当該簡易パスワードは例えば、数字１文字（例えば、「１〜９」のうちの１文字）、アルファベット１文字（例えば、「Ａ〜Ｚ」のうちの１文字）、平仮名１文字（例えば、「あ〜ん」のうちの１文字）、平仮名１文字（例えば、「ア〜ン」のうちの１文字）、若しくは記号１文字（例えば、「．」、「＋」、「−」、「／」及び「＊」のうちの１文字）、又は、それらの例えば２〜５文字でありうる。
【００９６】
（２）簡易パスワードは、上記通常のパスワードよりも覚えやすいフレーズである。当該簡易パスワードは例えば、連続する数字２文字（例えば、「１２」）、連続するアルファベット２文字（例えば、「ＡＢ」）、連続する平仮名２文字（例えば、「あい」）、連続する片仮名２文字（例えば、「アイ」）若しくは記号２文字（例えば、「＋−」）又は、それらの例えば３〜５文字でありうる。
【００９７】
（３）簡易パスワードは、発声しやすいフレーズである。当該簡易パスワードは例えば、英文字の場合には例えば、「子音」＋「母音」の発声しやすい組み合わせ、例えば「ＰＡ」又は「ＤＡ」であり、日本語文字の場合には例えば、平仮名２文字の発声しやすい組み合わせ、例えば「あか」又は「あお」でありうる。
【００９８】
（４）簡易パスワードは、上記通常のパスワードと同じ長さか又はそれよりも長くてもキー操作しやすいものである。当該簡易パスワードは例えば、「１２３４５」又は「ＡＳＤＦＧ」（例えば、キーボード上に横又は縦に連続して配置されている特定のキーである）でありうる。
【００９９】
（５）簡易パスワードは、上記通常のパスワードと同じ長さか又はそれよりも長くてもユーザに覚えやすいものである。当該簡易パスワードは例えば、生年月日、今日の日付、西暦、郵便番号、若しくは電話番号、又はその一部（例えば、生年月日又は今日の日付の西暦のみ、月のみ、日のみ）でありうる。
【０１００】
（６）簡易パスワードは、ユーザに関連付けられたものである。当該簡易パスワードは例えば、イニシャル、名、若しくは性、又はその一部でありうる。
【０１０１】
（７）簡易パスワードは、特定の操作例えば、タッチ画面上で操作可能な簡易な動きでありうる。当該簡易パスワードは例えば、右方向への指のスライド、又は所定時間（例えば５秒）のタッチ画面での押下でありうる。
【０１０２】
（８）簡易パスワードは、特定の操作例えば、所定のキーボードの押下である。当該簡易パスワードは例えば、ファンクション・キー（例えば、「Ｆ１２」又は「Ｅｓｃ」キー）の押下でありうる。
【０１０３】
（９）簡易パスワードは、特定の操作例えば、特定の音声の発声である。当該簡易パスワードは例えば、「パス」と発声することでありうる。
【０１０４】
また、上記（１）〜（６）の場合において、文字は、半角又は全角文字でありうる。
【０１０５】
本発明の実施態様において、「オブジェクト」とは例えば、（１）アプリケーション、（２）当該アプリケーション上で利用可能なアプリケーション若しくはデータ・コンテンツ、又は、（３）上記（２）のアプリケーション若しくはデータ・コンテンツ上でさらに利用可能なアプリケーション若しくはデータ・コンテンツでありうる。
【０１０６】
上記（１）でいうアプリケーションとは、画面上（所謂、デスクトップ上）に直接的に表示されるものである。上記（１）でいうアプリケーションは、電子装置上から直接的に起動可能なアプリケーションである。
【０１０７】
上記（２）でいうアプリケーション上で利用可能なアプリケーションとは、上記（１）のアプリケーション上で動作するアプリケーションである。上記（２）でいうアプリケーションは、電子装置上から直接的に起動可能なアプリケーションでなく、上記（１）のアプリケーション上で起動可能なアプリケーションである。また、上記（２）でいうアプリケーション上で利用可能なデータ・コンテンツとは、上記（１）のアプリケーション上で表示可能な又は上記（１）のアプリケーション上からアクセス可能なデータ・コンテンツである。
【０１０８】
上記（３）でいうアプリケーション上で利用可能なアプリケーションとは、上記（２）のアプリケーション上で動作するアプリケーションである。上記（３）でいうアプリケーションは、電子装置上から直接的に起動可能なアプリケーションでなく且つ上記（１）のアプリケーション上で起動可能なアプリケーションでなく、上記（２）のアプリケーション上で起動可能なアプリケーションである。また、上記（３）でいうアプリケーション上で利用可能なデータ・コンテンツとは、上記（２）のアプリケーション上で表示可能な又は上記（２）のアプリケーション上からアクセス可能なデータ・コンテンツである。
【０１０９】
図３Ａ〜図３Ｄそれぞれは、本発明の実施態様に従い、パスワードの簡易度を設定することを可能にする簡易度設定表示を使用してパスワードの簡易度を設定する（すなわち、変更する）ことを可能にし、当該設定された簡易度に応じたパスワードが画面上に表示されるとともに、当該設定された簡易度で利用可能なオブジェクトのオブジェクト・アイコンを画面上に又は当該簡易度で利用可能なオブジェクトが利用可能なオブジェクトのオブジェクト・アイコン上に表示する画面例を示す。
【０１１０】
本発明の実施態様において、「簡易度設定表示」は例えば、スライダー・バー又はスクロール・バーとも呼ばれるものでありうる。当該スライダー・バー又はスクロール・バーは、簡易度を特定可能なものであれば特に限定されない。また、当該「簡易度設定表示」は例えば、（簡単）○○○○○（複雑）のように、○アイコン「○」を選択することによって、簡易度を指定可能なものであってもよい。
【０１１１】
図３Ａは、本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用可能なオブジェクトが当該簡易度に応じて変化する態様を示す。
【０１１２】
ユーザが上記通常のパスワードを上記電子装置に入力し、そして当該電子装置が入力された当該通常のパスワードを認証したとする。当該電子装置は、当該認証が成功した場合において、例えばパスワードの簡易度を設定するメニューが呼び出されることに応じて、パスワードの簡易度を設定することを可能にする画面（３０１）を表示しうる。
【０１１３】
画面（３０１）は、パスワードの簡易度を設定することを可能にするスライダー・バー、当該スライダー・バーの移動により設定された簡易度に応じて生成される簡易パスワード、及び当該設定された簡易度に応じて利用可能なオブジェクトのオブジェクト・アイコンを示す。当該設定された簡易度に応じて利用可能なオブジェクトとは、当該簡易パスワードが認証されることに応じて、当該電子装置上でユーザが利用可能になる（例えば、アクセス可能になる、表示が可能になる、又は実行が可能になる）オブジェクトである。
【０１１４】
画面（３０１）は、スライダー・バーが簡易度「簡単」に近い側上にあるとする。画面（３０１）におけるスライダー・バーの初期位置は例えば、ユーザ又は本発明の実施態様に従う電子装置用プログラムによって予め設定されたデフォルトの簡易度、又は、本発明の実施態様に従う電子装置用プログラムに従い簡易度をユーザが設定した場合の直前の簡易度でありうる。
【０１１５】
上記電子装置は、上記スライダー・バーの位置に従う簡易度に応じて簡易パスワードを生成する。画面（３０１）は、当該簡易パスワードが数字１文字である「1」（半角である）であることを示す。
【０１１６】
また、画面（３０１）は、上記スライダー・バーの現在位置によって設定される簡易度においてユーザが利用可能な３つのオブジェクト（３１１，３１２及び３１３）それぞれのオブジェクト・アイコンを示す。上記３つのオブジェクト（３１１，３１２及び３１３）それぞれのオブジェクト・アイコンは、画面上に直接表示されていることから、当該３つのオブジェクト（３１１，３１２及び３１３）それぞれは単独で利用可能なオブジェクト（例えば、アプリケーション）でありうる。
【０１１７】
さらに、画面（３０１）は、上記スライダー・バーの現在位置によって設定される簡易度において、上記３つのオブジェクト（３１１，３１２及び３１３）それぞれ上で利用可能なオブジェクトそれぞれのオブジェクト・アイコンを示す。すなわち、画面（３０１）は、オブジェクト（３１１）上で利用可能なオブジェクトＢ及びＣそれぞれのオブジェクト・アイコン、オブジェクト（３１２）上で利用可能なオブジェクトＧのオブジェクト・アイコン、及びオブジェクト（３１３）上で利用可能なオブジェクトＪ及びＫそれぞれのオブジェクト・アイコンを示す。例えば、オブジェクトＢ及びＣそれぞれは、オブジェクト（３１１）で利用可能なオブジェクト（例えば、アプリケーション又はデータ・コンテンツ）である。同様に、オブジェクトＧは、オブジェクト（３１２）で利用可能なオブジェクト（例えば、アプリケーション又はデータ・コンテンツ）である。同様に、オブジェクトＪ及びＫは、オブジェクト（３１３）で利用可能なオブジェクト（例えば、アプリケーション又はデータ・コンテンツ）である。
【０１１８】
ユーザが、上記スライダー・バーを簡易度「複雑」の方向にスライドさせたとする（画面（３０１）上の点線矢印を参照）。
【０１１９】
画面（３０２）は、上記スライダー・バーがスライドされた後の画面を示す。
【０１２０】
画面（３０２）は、スライダー・バーが簡易度「複雑」に近い側上にあり、当該簡易度に応じた簡易パスワードが数字の連続する３文字である「123」（半角である）であることを示す。
【０１２１】
従って、スライダー・バーにより設定された簡易度が複雑方向に移動することに応じて、スライド前の簡易パスワード（「1」）に比べて、より長い簡易パスワード（「123」）（但し、上記通常のパスワードよりも簡易である）が生成されている。すなわち、上記電子装置は、簡易度がより複雑に設定されるに従い、より長い簡易パスワードを生成するようにしうる。逆に、上記電子装置は、簡易度がより簡単に設定されるに従い、より短い簡易パスワードを生成するようにしうる。
【０１２２】
また、画面（３０２）は、上記スライダー・バーによって設定される簡易度においてユーザが利用可能な４つのオブジェクト（３１１，３１２，３１３及び３１４）それぞれのオブジェクト・アイコンを示す。
【０１２３】
上記４つのオブジェクト（３１１，３１２，３１３及び３１４）中、スライド前に比べて、オブジェクト（３１４）が新たに画面上に表示されている。従って、スライダー・バーにより設定された簡易度が複雑方向に移動することに応じて、スライド前に比べて、オブジェクト（３１４）が新たに利用可能になっている。すなわち、上記電子装置は、簡易度がより複雑に設定されるに従い、より多くの利用可能なオブジェクトのオブジェクト・アイコンを画面上にさらに表示するようにしうる。逆に、上記電子装置は、簡易度がより簡単に設定されるに従い、当該簡易度の場合に利用可能でなくなるオブジェクトのオブジェクト・アイコンを画面上から消去するようにしうる。
【０１２４】
さらに、画面（３０２）は、上記スライダー・バーによって設定される簡易度において、上記４つのオブジェクト（３１１，３１２，３１３及び３１４）それぞれ上で利用可能なオブジェクトそれぞれのオブジェクト・アイコンを示す。すなわち、画面（３０２）は、オブジェクト（３１１）上で利用可能なオブジェクトＡ，Ｂ及びＣそれぞれのオブジェクト・アイコン、オブジェクト（３１２）上で利用可能なオブジェクトＥ，Ｆ及びＧそれぞれのオブジェクト・アイコン、オブジェクト（３１３）上で利用可能なオブジェクトＪ及びＫそれぞれのオブジェクト・アイコン、及びオブジェクト（３１４）上で利用可能なオブジェクトＭのオブジェクト・アイコンを示す。
【０１２５】
従って、スライダー・バーにより設定された簡易度が複雑方向に移動することに応じて、スライド前に比べて、オブジェクト（３１１）上で利用可能なオブジェクトＡ（３２１）、オブジェクト（３１２）上で利用可能なオブジェクトＥ（３２２）及びＦ（３２３）、並びに、オブジェクト（３１４）上で利用可能なオブジェクトＭ（３２４）が新たに利用可能になっている。すなわち、上記電子装置は、簡易度がより複雑に設定されるに従い、より多くの利用可能なオブジェクト・アイコンを当該オブジェクトが利用可能なオブジェクト・アイコン上に重畳してさらに表示している。逆に、上記電子装置は、簡易度がより簡単に設定されるに従い、当該簡易度に応じて利用可能でなくなるオブジェクトのオブジェクト・アイコンを当該利用可能でなくなるオブジェクトのオブジェクト・アイコンが重畳して表示されていたオブジェクト・アイコン上から消去するようにしうる。
【０１２６】
以上に示す通り、図３Ａに示す態様では、上記電子装置は、スライダー・バーのスライドによって簡易度が設定されることに応じて、当該簡易度に応じた簡易パスワードを生成し、さらに当該設定された簡易度で利用可能なオブジェクトのオブジェクト・アイコンを表示画面上に及び／又は当該表示画面上のオブジェクト・アイコン上に表示し、一方、当該設定された簡易度で利用可能でなくなるオブジェクトのオブジェクト・アイコンを表示画面上から及び／又は当該表示画面上のオブジェクト・アイコン上から消去しうる。
【０１２７】
図３Ｂは、本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用可能なオブジェクトが当該簡易度に応じて変化し、利用可能なオブジェクトのオブジェクト・アイコンを実線で表示し、一方、利用可能でないオブジェクトのオブジェクト・アイコンを点線で表示する態様を示す。
【０１２８】
ユーザが上記通常のパスワードを上記電子装置に入力し、そして当該電子装置が入力された当該通常のパスワードを認証したとする。当該電子装置は、当該認証が成功した場合において、例えばパスワードの簡易度を設定するメニューが呼び出されることに応じて、パスワードの簡易度を設定することを可能にする画面（３０３）を表示しうる。
【０１２９】
画面（３０３）は、パスワードの簡易度を設定することを可能にするスライダー・バー、当該スライダー・バーの移動により設定された簡易度に応じて生成される簡易パスワード、及びユーザが利用しうるオブジェクトのオブジェクト・アイコンを示す。ユーザが利用しうるオブジェクトとは、当該設定された簡易度に応じて利用可能なオブジェクト若しくは当該設定された簡易度に応じて利用可能でないオブジェクト、又はそれらの組み合わせを含む。
【０１３０】
画面（３０３）は、スライダー・バーが簡易度「簡単」に近い側上にあるとする。画面（３０３）におけるスライダー・バーの初期位置は例えば、ユーザ又は本発明の実施態様に従う電子装置用プログラムによって予め設定されたデフォルトの簡易度、又は、本発明の実施態様に従う電子装置用プログラムに従い簡易度をユーザが設定した場合の直前の簡易度でありうる。
【０１３１】
上記電子装置は、上記スライダー・バーの位置に従う簡易度に応じて簡易パスワードを生成する。画面（３０３）は、当該簡易度に応じた簡易パスワードがアルファベットの最初の１文字である「a」（半角小文字である）であることを示す。
【０１３２】
また、画面（３０３）は、上記スライダー・バーによって設定される簡易度に応じてユーザが利用しうる４つのオブジェクト（３３１，３３２，３３３及び３３４）それぞれのオブジェクト・アイコンを示す。上記４つのオブジェクト（３３１，３３２，３３３及び３３４）それぞれのオブジェクト・アイコン中、実線で示されているオブジェクト・アイコンそれぞれは、オブジェクト（３３１，３３２，及び３３３）それぞれが現在の簡易度で利用可能であるオブジェクトであることを示す。一方、上記４つのオブジェクト（３３１，３３２，３３３及び３３４）それぞれのオブジェクト・アイコン中、点線で示されているオブジェクト・アイコン（３４２ｂ，３４５ｂ及び３４６ｂ）は、オブジェクトが現在の簡易度で利用可能でないオブジェクトであることを示す。
【０１３３】
さらに、画面（３０３）は、上記スライダー・バーによって設定される簡易度に応じてユーザが利用しうる上記４つのオブジェクト（３３１，３３２，３３３及び３３４）それぞれ上でユーザが利用しうるオブジェクトのオブジェクト・アイコンを示す。すなわち、画面（３０３）は、オブジェクト（３３１）上でユーザが利用しうるオブジェクトＡ，Ｂ及びＣそれぞれのオブジェクト・アイコン、オブジェクト（３３２）上でユーザが利用しうるオブジェクトＤ，Ｅ，Ｆ及びＧそれぞれのオブジェクト・アイコン、オブジェクト（３３３）上でユーザが利用しうるオブジェクトＨ，Ｊ及びＫそれぞれのオブジェクト・アイコン、並びに、オブジェクト（３３４）上でユーザが利用しうるオブジェクトＬ及びＭそれぞれのオブジェクト・アイコンを示す。オブジェクト（３３１）のオブジェクト・アイコン上において実線で示されているオブジェクト・アイコンそれぞれは、オブジェクトＢ及びＣそれぞれが現在の簡易度でオブジェクト（３３１）上で利用可能であることを示す。一方、オブジェクト（３３１）のオブジェクト・アイコン上において点線で示されているオブジェクト・アイコンは、オブジェクトＡ（３４１ａ）が現在の簡易度でオブジェクト（３３１）上で利用可能でないことを示す。同様に、オブジェクト（３３２）のオブジェクト・アイコン上において実線で示されているオブジェクト・アイコンは、オブジェクトＧが現在の簡易度でオブジェクト（３３２）上で利用可能であることを示す。一方、オブジェクト（３３２）のオブジェクト・アイコン上において点線で示されているオブジェクト・アイコンは、オブジェクトＤ（３４２ａ），オブジェクトＥ（３４３ａ）及びオブジェクトＦ（３４４ａ）が現在の簡易度でオブジェクト（３３２）上で利用可能でないことを示す。同様に、オブジェクト（３３３）のオブジェクト・アイコン上において実線で示されているオブジェクト・アイコンそれぞれは、オブジェクトＪ及びＫそれぞれが現在の簡易度でオブジェクト（３３３）上で利用可能であることを示す。一方、オブジェクト（３３３）のオブジェクト・アイコン上において点線で示されているオブジェクト・アイコンは、オブジェクトＨ（３４５ａ）が現在の簡易度でオブジェクト（３３３）上で利用可能でないことを示す。同様に、オブジェクト（３３４）のオブジェクト・アイコン上において点線で示されているオブジェクト・アイコンは、オブジェクトＬ（３４６ａ）及びオブジェクトＭ（３４７ａ）が現在の簡易度でオブジェクト（３３４）上で利用可能でないことを示す。
【０１３４】
ユーザが、上記スライダー・バーを簡易度「複雑」の方向にスライドさせたとする（画面（３０３）上の点線矢印を参照）。
【０１３５】
画面（３０４）は、上記スライダー・バーがスライドされた後の画面を示す。
【０１３６】
画面（３０４）は、スライダー・バーが簡易度「複雑」に近い側上にあり、当該簡易度に応じた簡易パスワードがアルファベットの連続する３文字である「abc」（半角小文字である）であることを示す。
【０１３７】
従って、スライダー・バーにより設定された簡易度が複雑方向に移動することに応じて、スライド前の簡易パスワード（「a」）に比べて、より長い簡易パスワード（「abc」）（但し、上記通常のパスワードよりも簡易である）が生成されている。すなわち、上記電子装置は、簡易度がより複雑に設定されるに従い、より長い簡易パスワードを生成するようにしうる。逆に、上記電子装置は、簡易度がより簡単に設定されるに従い、より短い簡易パスワードを生成するようにしうる。
【０１３８】
また、画面（３０４）は、上記スライダー・バーによって設定される簡易度においてユーザが利用可能な４つのオブジェクト（３３１，３３２，３３３及び３３４）それぞれの実線で示されるオブジェクト・アイコンを示す。
【０１３９】
上記４つのオブジェクト（３３１，３３２，３３３及び３３４）中、スライド前に比べて、オブジェクト（３３４）のオブジェクト・アイコンが実線で示されている。従って、スライダー・バーにより設定された簡易度が複雑方向に移動することに応じて、スライド前に比べて、オブジェクト（３３４）が新たに利用可能になっている。すなわち、上記電子装置は、簡易度がより複雑に設定されるに従い、より多くの利用可能なオブジェクトのオブジェクト・アイコンを画面上にさらに表示するようにしうる。逆に、上記電子装置は、簡易度がより簡単に設定されるに従い、当該簡易度の場合に利用可能でなくなるオブジェクトのオブジェクト・アイコンを画面上から消去するようにしうる。
【０１４０】
さらに、画面（３０４）は、上記スライダー・バーによって設定される簡易度に応じてユーザが利用可能な上記４つのオブジェクト（３３１，３３２，３３３及び３３４）それぞれ上でユーザが利用しうるオブジェクトのオブジェクト・アイコンを示す。オブジェクト（３３１）のオブジェクト・アイコン上において実線で示されているオブジェクト・アイコンそれぞれは、オブジェクトＡ（３４１ｂ），Ｂ及びＣそれぞれが現在の簡易度でオブジェクト（３３１）上で利用可能であることを示す。同様に、オブジェクト（３３２）のオブジェクト・アイコン上において実線で示されているオブジェクト・アイコンは、オブジェクトＥ（３４３ｂ），Ｆ（３４４ｂ）及びＧが現在の簡易度でオブジェクト（３３２）上で利用可能であることを示す。一方、オブジェクト（３３２）のオブジェクト・アイコン上において点線で示されているオブジェクト・アイコンは、オブジェクトＤ（３４２ｂ）が現在の簡易度でオブジェクト（３３２）上で利用可能でないことを示す。同様に、オブジェクト（３３３）のオブジェクト・アイコン上において実線で示されているオブジェクト・アイコンそれぞれは、オブジェクトＪ及びＫそれぞれが現在の簡易度でオブジェクト（３３３）上で利用可能であることを示す。一方、オブジェクト（３３３）のオブジェクト・アイコン上において点線で示されているオブジェクト・アイコンは、オブジェクトＨ（３４５ｂ）が現在の簡易度でオブジェクト（３３３）上で利用可能でないことを示す。同様に、オブジェクト（３３４）のオブジェクト・アイコン上において実線で示されているオブジェクト・アイコンは、オブジェクトＭ（３４７ｂ）が現在の簡易度でオブジェクト（３３４）上で利用可能であることを示す。一方、オブジェクト（３３４）のオブジェクト・アイコン上において点線で示されているオブジェクト・アイコンは、オブジェクトＬ（３４６ｂ）が現在の簡易度でオブジェクト（３３４）上で利用可能でないことを示す。
【０１４１】
従って、スライダー・バーにより設定された簡易度が複雑方向に移動することに応じて、スライド前に比べて、オブジェクト（３３１）上で利用可能なオブジェクトＡ（３４１ｂ）、オブジェクト（３３２）上で利用可能なオブジェクトＥ（３４３ｂ）及びＦ（３４４ｂ）、オブジェクト（３３３）上で利用可能なオブジェクトＨ（３４５ｂ）、並びに、オブジェクト（３３４）上で利用可能なオブジェクトＭ（３４７ｂ）が新たに利用可能になっている。すなわち、上記電子装置は、簡易度がより複雑に設定されるに従い、より多くの利用可能なオブジェクト・アイコンを当該オブジェクトが利用可能なオブジェクト・アイコン上に重畳して実線でさらに表示している。逆に、上記電子装置は、簡易度がより簡単に設定されるに従い、当該簡易度に応じて利用可能でなくなるオブジェクトのオブジェクト・アイコンをオブジェクト・アイコン上に点線で表示するようにしうる。なお、実線及び点線は例示であり、上記利用可能でないオブジェクト・アイコンが上記利用可能なオブジェクトと区別出来るような表示形態であれば特にその種類を問わない。
【０１４２】
以上に示す通り、図３Ｂに示す態様では、上記電子装置は、スライダー・バーのスライドによって簡易度が設定されることに応じて、当該簡易度に応じた簡易パスワードを生成し、さらに当該設定された簡易度で利用可能なオブジェクトのオブジェクト・アイコンを表示画面上に及び／又は当該表示画面上のオブジェクト・アイコン上に実線で表示し、一方、当該設定された簡易度で利用可能でないオブジェクトのオブジェクト・アイコンを表示画面上に及び／又は当該表示画面上のオブジェクト・アイコン上に点線で表示しうる。
【０１４３】
図３Ｃは、本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用可能なオブジェクトが当該簡易度に応じて変化し、当該ユーザが利用可能なオブジェクトのオブジェクト・アイコンを当該アイコンが有する本来の色で表示し、一方、当該ユーザが利用可能でないオブジェクトのオブジェクト・アイコンを当該アイコンが本来有する色でなく例えばモノクロや影付きで表示する態様を示す。
【０１４４】
ユーザが上記通常のパスワードを上記電子装置に入力し、そして当該電子装置が入力された当該通常のパスワードを認証したとする。当該電子装置は、当該認証が成功した場合において、例えばパスワードの簡易度を設定するメニューが呼び出されることに応じて、パスワードの簡易度を設定することを可能にする画面（３０５）を表示しうる。
【０１４５】
画面（３０５）は、パスワードの簡易度を設定することを可能にするスライダー・バー、当該スライダー・バーの移動により設定された簡易度に応じて生成される簡易パスワード、及びユーザが利用しうるオブジェクトのオブジェクト・アイコンを示す。
【０１４６】
画面（３０５）は、スライダー・バーが簡易度「簡単」に近い側上にあるとする。画面（３０５）におけるスライダー・バーの初期位置は例えば、ユーザ又は本発明の実施態様に従う電子装置用プログラムによって予め設定されたデフォルトの簡易度、又は、本発明の実施態様に従う電子装置用プログラムに従い簡易度をユーザが設定した場合の直前の簡易度でありうる。
【０１４７】
上記電子装置は、上記スライダー・バーの位置に従う簡易度に応じて簡易パスワードを生成する。画面（３０５）は、当該簡易度に応じた簡易パスワードが当該電子装置のユーザのイニシャルの一部である「e」（半角小文字である）であることを示す。
【０１４８】
また、画面（３０５）は、上記スライダー・バーによって設定される簡易度に応じてユーザが利用しうる４つのオブジェクト（３５１，３５２，３５３及び３５４）それぞれのオブジェクト・アイコンを示す。上記４つのオブジェクト（３５１，３５２，３５３及び３５４）それぞれのオブジェクト・アイコン中、実線（黒色、影無し）で示されているオブジェクト・アイコンそれぞれは、オブジェクト（３５１，３５２，及び３５３）が現在の簡易度で利用可能であるオブジェクトであることを示す。一方、上記４つのオブジェクト（３５１，３５２，３５３及び３５４）それぞれのオブジェクト・アイコン中、実線（灰色、影付き）で示されているオブジェクト・アイコンは、オブジェクト（３５４）が現在の簡易度で利用可能でないオブジェクトであることを示す。
【０１４９】
さらに、画面（３０５）は、上記スライダー・バーによって設定される簡易度に応じてユーザが利用しうる上記４つのオブジェクト（３５１，３５２，３５３及び３５４）それぞれ上でユーザが利用しうるオブジェクトのオブジェクト・アイコンを示す。すなわち、画面（３０５）は、オブジェクト（３５１）上でユーザが利用しうるオブジェクトＡ，Ｂ及びＣそれぞれのオブジェクト・アイコン、オブジェクト（３５２）上でユーザが利用しうるオブジェクトＤ，Ｅ，Ｆ及びＧそれぞれのオブジェクト・アイコン、オブジェクト（３５３）上でユーザが利用しうるオブジェクトＨ，Ｊ及びＫそれぞれのオブジェクト・アイコン、並びに、オブジェクト（３５４）上でユーザが利用しうるオブジェクトＬ及びＭそれぞれのオブジェクト・アイコンを示す。オブジェクト（３５１）のオブジェクト・アイコン上において実線（黒色、影無し）で示されているオブジェクト・アイコンそれぞれは、オブジェクトＢ及びＣそれぞれが現在の簡易度でオブジェクト（３５１）上で利用可能であることを示す。一方、オブジェクト（３５１）のオブジェクト・アイコン上において実線（灰色、影付き）で示されているオブジェクト・アイコンは、オブジェクトＡ（３６１ａ）が現在の簡易度でオブジェクト（３５１）上で利用可能でないことを示す。同様に、オブジェクト（３５２）のオブジェクト・アイコン上において実線（黒色、影無し）で示されているオブジェクト・アイコンは、オブジェクトＧが現在の簡易度でオブジェクト（３５２）上で利用可能であることを示す。一方、オブジェクト（３５２）のオブジェクト・アイコン上において実線（灰色、影付き）で示されているオブジェクト・アイコンは、オブジェクトＤ（３６２ａ），オブジェクトＥ（３６３ａ）及びオブジェクトＦ（３６４ａ）が現在の簡易度でオブジェクト（３５２）上で利用可能でないことを示す。同様に、オブジェクト（３５３）のオブジェクト・アイコン上において実線（黒色、影無し）で示されているオブジェクト・アイコンそれぞれは、オブジェクトＪ及びＫそれぞれが現在の簡易度でオブジェクト（３５３）上で利用可能であることを示す。一方、オブジェクト（３５３）のオブジェクト・アイコン上において実線（灰色、影付き）で示されているオブジェクト・アイコンは、オブジェクトＨ（３６５ａ）が現在の簡易度でオブジェクト（３５３）上で利用可能でないことを示す。同様に、オブジェクト（３５４）のオブジェクト・アイコン上において実線（灰色、影付き）で示されているオブジェクト・アイコンは、オブジェクトＬ（３６６ａ）及びオブジェクトＭ（３６７ａ）が現在の簡易度でオブジェクト（３５４）上で利用可能でないことを示す。
【０１５０】
上記例では、オブジェクトが利用可能でないから利用可能であることに変更されることによって、当該オブジェクトのオブジェクト・アイコンが実線（黒色、影無し）から実線（灰色、影付き）に変化する例を示した。オブジェクト・アイコンの変化は例えば、上記例の他に、オブジェクト・アイコンの色が、モノクロからカラーへ変化すること、オブジェクト・アイコンの大きさが元の大きさよりも大きくなることでありうるが、これらに制限されるものでない。
【０１５１】
ユーザが、上記スライダー・バーを簡易度「複雑」の方向にスライドさせたとする（画面（３０５）上の点線矢印を参照）。
【０１５２】
画面（３０６）は、上記スライダー・バーがスライドされた後の画面を示す。
【０１５３】
画面（３０６）は、スライダー・バーが簡易度「複雑」に近い側上にあり、当該簡易度に応じた簡易パスワードが当該電子装置のユーザのイニシャルである「ek」（半角小文字である）であることを示す。
【０１５４】
従って、スライダー・バーにより設定された簡易度が複雑方向に移動することに応じて、スライド前の簡易パスワード（「e」）に比べて、より長い簡易パスワード（「ek」）（但し、上記通常のパスワードよりも簡易である）が生成されている。すなわち、上記電子装置は、簡易度がより複雑に設定されるに従い、より長い簡易パスワードを生成するようにしうる。逆に、上記電子装置は、簡易度がより簡単に設定されるに従い、より短い簡易パスワードを生成するようにしうる。
【０１５５】
また、画面（３０６）は、上記スライダー・バーによって設定される簡易度においてユーザが利用可能な４つのオブジェクト（３５１，３５２，３５３及び３５４）それぞれの実線で示されるオブジェクト・アイコンを示す。
【０１５６】
上記４つのオブジェクト（３５１，３５２，３５３及び３５４）中、スライド前に比べて、オブジェクト（３５４）が実線（黒色、影無し）で示されている。従って、スライダー・バーにより設定された簡易度が複雑方向に移動することに応じて、スライド前に比べて、オブジェクト（３５４）が新たに利用可能になっている。すなわち、上記電子装置は、簡易度がより複雑に設定されるに従い、より多くの利用可能なオブジェクトのオブジェクト・アイコンを画面上にさらに表示するようにしうる。逆に、上記電子装置は、簡易度がより簡単に設定されるに従い、当該簡易度の場合に利用可能でなくなるオブジェクトのオブジェクト・アイコンを画面上から消去するようにしうる。
【０１５７】
さらに、画面（３０６）は、上記スライダー・バーによって設定される簡易度に応じてユーザが利用可能な上記４つのオブジェクト（３５１，３５２，３５３及び３５４）それぞれ上でユーザが利用しうるオブジェクトのオブジェクト・アイコンを示す。オブジェクト（３５１）のオブジェクト・アイコン上において実線（黒色、影無し）で示されているオブジェクト・アイコンそれぞれは、オブジェクトＡ（３６１ｂ），Ｂ及びＣそれぞれが現在の簡易度でオブジェクト（３５１）上で利用可能であることを示す。同様に、オブジェクト（３５２）のオブジェクト・アイコン上において実線（黒色、影無し）で示されているオブジェクト・アイコンは、オブジェクトＥ（３６３ｂ），Ｆ（３６４ｂ）及びＧが現在の簡易度でオブジェクト（３５２）上で利用可能であることを示す。一方、オブジェクト（３５２）のオブジェクト・アイコン上において実線（灰色、影付き）で示されているオブジェクト・アイコンは、オブジェクトＤ（３６２ｂ）が現在の簡易度でオブジェクト（３５２）上で利用可能でないことを示す。同様に、オブジェクト（３５３）のオブジェクト・アイコン上において実線（黒色、影無し）で示されているオブジェクト・アイコンそれぞれは、オブジェクトＪ及びＫそれぞれが現在の簡易度でオブジェクト（３５３）上で利用可能であることを示す。一方、オブジェクト（３５３）のオブジェクト・アイコン上において実線（灰色、影付き）で示されているオブジェクト・アイコンは、オブジェクトＨ（３６５ｂ）が現在の簡易度でオブジェクト（３５３）上で利用可能でないことを示す。同様に、オブジェクト（３５４）のオブジェクト・アイコン上において実線（黒色、影無し）で示されているオブジェクト・アイコンは、オブジェクトＭ（３６７ｂ）が現在の簡易度でオブジェクト（３５４）上で利用可能であることを示す。一方、オブジェクト（３５４）のオブジェクト・アイコン上において実線（灰色、影付き）で示されているオブジェクト・アイコンは、オブジェクトＬ（３６６ｂ）が現在の簡易度でオブジェクト（３５４）上で利用可能でないことを示す。
【０１５８】
従って、スライダー・バーにより設定された簡易度が複雑方向に移動することに応じて、スライド前に比べて、オブジェクト（３５１）上で利用可能なオブジェクトＡ（３６１ｂ）、オブジェクト（３５２）上で利用可能なオブジェクトＥ（３６３ｂ）及びＦ（３６４ｂ）、オブジェクト（３５３）上で利用可能なオブジェクトＨ（３６５ｂ）、並びに、オブジェクト（３５４）上で利用可能なオブジェクトＭ（３６７ｂ）が新たに利用可能になっている。すなわち、上記電子装置は、簡易度がより複雑に設定されるに従い、より多くの利用可能なオブジェクト・アイコンを当該オブジェクトが利用可能なオブジェクト・アイコン上に重畳して実線（黒色、影無し）でさらに表示している。逆に、上記電子装置は、簡易度がより簡単に設定されるに従い、当該簡易度に応じて利用可能でなくなるオブジェクトのオブジェクト・アイコンをオブジェクト・アイコン上に実線（灰色、影付き）で表示するようにしうる。なお、実線（黒色、影無し）及び実線（灰色、影付き）は例示であり、上記利用可能でないオブジェクト・アイコンが上記利用可能なオブジェクトと区別出来るような表示形態であれば特にその種類を問わない。
【０１５９】
以上に示す通り、図３Ｃに示す態様では、上記電子装置は、スライダー・バーのスライドによって簡易度が設定されることに応じて、当該簡易度に応じた簡易パスワードを生成し、さらに当該設定された簡易度で利用可能なオブジェクトのオブジェクト・アイコンを表示画面上に及び／又は当該表示画面上のオブジェクト・アイコン上に実線（黒色、影無し）で表示し、一方、当該設定された簡易度で利用可能でないオブジェクトのオブジェクト・アイコンを表示画面上に及び／又は当該表示画面上のオブジェクト・アイコン上に実線（灰色、影付き）で表示しうる。
【０１６０】
図３Ｄは、本発明の実施態様に従い、パスワードの簡易度を設定することを可能にするスライダー・バーが「簡単」から「複雑」の方向にスライドされることに応じて、当該スライドにより設定された簡易度に従う簡易パスワードを生成する態様、及び、ユーザが利用しうるオブジェクトのオブジェクト・アイコンに付随するチェックボックスが当該簡易度に応じてオンに変化する態様を示す。
【０１６１】
ユーザが上記通常のパスワードを上記電子装置に入力し、そして当該電子装置が入力された当該通常のパスワードを認証したとする。当該電子装置は、当該認証が成功した場合において、例えばパスワードの簡易度を設定するメニューが呼び出されることに応じて、パスワードの簡易度を設定することを可能にする画面（３０７）を表示しうる。
【０１６２】
画面（３０７）は、パスワードの簡易度を設定することを可能にするスライダー・バー、当該スライダー・バーの移動により設定された簡易度に応じて生成される簡易パスワード、並びにユーザが利用しうるオブジェクトのオブジェクト・アイコン及び当該アイコンが利用可能かどうかを示すチェックボックスを示す。当該チェックボックスがオン（例えば、レ点が付く）であることは当該オブジェクトが利用可能であることを示し、一方、当該チェックボックスがオフ（例えば、レ点が外れる）であることは当該オブジェクトが利用可能でないことを示す。
【０１６３】
画面（３０７）は、スライダー・バーが簡易度「簡単」に近い側上にあるとする。画面（３０７）におけるスライダー・バーの初期位置は例えば、ユーザ又は本発明の実施態様に従う電子装置用プログラムによって予め設定されたデフォルトの簡易度、又は、本発明の実施態様に従う電子装置用プログラムに従い簡易度をユーザが設定した場合の直前の簡易度でありうる。
【０１６４】
上記電子装置は、上記スライダー・バーの位置に従う簡易度に応じて簡易パスワードを生成する。画面（３０７）は、当該簡易度に応じた簡易パスワードがアルファベットの最初の１文字である「a」（半角小文字である）であることを示す。
【０１６５】
また、画面（３０７）は、上記スライダー・バーによって設定される簡易度に応じてユーザが利用しうる４つのオブジェクト（３７１，３７２，３７３及び３７４）それぞれのオブジェクト・アイコンを示す。上記４つのオブジェクト（３７１，３７２，３７３及び３７４）それぞれのオブジェクト・アイコン中、当該オブジェクト・アイコンそれぞれに関連付けられたチェックボックスにレ点が付されているオブジェクト・アイコンそれぞれは、オブジェクト（３７１，３７２，及び３７３）が現在の簡易度で利用可能であるオブジェクトであることを示す。一方、上記４つのオブジェクト（３７１，３７２，３７３及び３７４）それぞれのオブジェクト・アイコン中、当該オブジェクト・アイコンそれぞれに関連付けられたチェックボックスにレ点が付されていないオブジェクト・アイコンは、オブジェクト（３７４）が現在の簡易度で利用可能でないオブジェクトであることを示す。
【０１６６】
さらに、画面（３０７）は、上記スライダー・バーによって設定される簡易度に応じてユーザが利用しうる上記４つのオブジェクト（３７１，３７２，３７３及び３７４）それぞれ上でユーザが利用しうるオブジェクトのオブジェクト・アイコンを示す。すなわち、画面（３０７）は、オブジェクト（３７１）上でユーザが利用しうるオブジェクトＡ，Ｂ及びＣそれぞれのオブジェクト・アイコン、オブジェクト（３７２）上でユーザが利用しうるオブジェクトＤ，Ｅ，Ｆ及びＧそれぞれのオブジェクト・アイコン、オブジェクト（３７３）上でユーザが利用しうるオブジェクトＨ，Ｊ及びＫそれぞれのオブジェクト・アイコン、並びに、オブジェクト（３７４）上でユーザが利用しうるオブジェクトＬ及びＭそれぞれのオブジェクト・アイコンを示す。オブジェクト（３７１）のオブジェクト・アイコン上においてチェックボックスにレ点が付されているオブジェクト・アイコンそれぞれは、オブジェクトＢ及びＣそれぞれが現在の簡易度でオブジェクト（３７１）上で利用可能であることを示す。一方、オブジェクト（３７１）のオブジェクト・アイコン上においてチェックボックスにレ点が付されていないオブジェクト・アイコンは、オブジェクトＡ（３８１）が現在の簡易度でオブジェクト（３７１）上で利用可能でないことを示す。同様に、オブジェクト（３７２）のオブジェクト・アイコン上においてチェックボックスにレ点が付されているオブジェクト・アイコンは、オブジェクトＧが現在の簡易度でオブジェクト（３７２）上で利用可能であることを示す。一方、オブジェクト（３７２）のオブジェクト・アイコン上においてチェックボックスにレ点が付されていないオブジェクト・アイコンは、オブジェクトＤ，オブジェクトＥ（３８２）及びオブジェクトＦ（３８３）が現在の簡易度でオブジェクト（３７２）上で利用可能でないことを示す。同様に、オブジェクト（３７３）のオブジェクト・アイコン上においてチェックボックスにレ点が付されているオブジェクト・アイコンそれぞれは、オブジェクトＪ及びＫそれぞれが現在の簡易度でオブジェクト（３７３）上で利用可能であることを示す。一方、オブジェクト（３７３）のオブジェクト・アイコン上においてチェックボックスにレ点が付されていないオブジェクト・アイコンは、オブジェクトＨが現在の簡易度でオブジェクト（３７３）上で利用可能でないことを示す。同様に、オブジェクト（３７４）のオブジェクト・アイコン上においてチェックボックスにレ点が付されていないオブジェクト・アイコンは、オブジェクトＬ及びオブジェクトＭ（３８４）が現在の簡易度でオブジェクト（３７４）上で利用可能でないことを示す。
【０１６７】
ユーザが、上記スライダー・バーを簡易度「複雑」の方向にスライドさせたとする（画面（３０７）上の点線矢印を参照）。
【０１６８】
画面（３０８）は、上記スライダー・バーがスライドされた後の画面を示す。
【０１６９】
画面（３０８）は、スライダー・バーが簡易度「複雑」に近い側上にあり、当該簡易度に応じた簡易パスワードがアルファベットの連続する２文字である「ab」（半角小文字である）であることを示す。
【０１７０】
従って、スライダー・バーにより設定された簡易度が複雑方向に移動することに応じて、スライド前の簡易パスワード（「a」）に比べて、より長い簡易パスワード（「ab」）（但し、上記通常のパスワードよりも簡易である）が生成されている。すなわち、上記電子装置は、簡易度がより複雑に設定されるに従い、より長い簡易パスワードを生成するようにしうる。逆に、上記電子装置は、簡易度がより簡単に設定されるに従い、より短い簡易パスワードを生成するようにしうる。
【０１７１】
また、画面（３０８）は、上記スライダー・バーによって設定される簡易度においてユーザが利用可能な４つのオブジェクト（３７１，３７２，３７３及び３７４）それぞれに付随するチェックボックスにレ点が付されているオブジェクト・アイコンを示す。
【０１７２】
上記４つのオブジェクト（３７１，３７２，３７３及び３７４）中、スライド前に比べて、オブジェクト（３７４）に付随するチェックボックスにレ点が付されている。従って、スライダー・バーにより設定された簡易度が複雑方向に移動することに応じて、スライド前に比べて、オブジェクト（３７４）が新たに利用可能になっている。すなわち、上記電子装置は、簡易度がより複雑に設定されるに従い、より多くの利用可能なオブジェクト（３７４）のオブジェクト・アイコンに付随するチェックボックスにレ点を付している。逆に、上記電子装置は、簡易度がより簡単に設定されるに従い、当該簡易度に応じて利用可能なオブジェクトのオブジェクト・アイコンに付随するチェックボックスからレ点を消去するようにしうる。
【０１７３】
さらに、画面（３０８）は、上記スライダー・バーによって設定される簡易度に応じてユーザが利用可能な上記４つのオブジェクト（３７１，３７２，３７３及び３７４）それぞれ上でユーザが利用しうるオブジェクトのオブジェクト・アイコンを示す。オブジェクト（３７１）のオブジェクト・アイコンに付随するチェックボックスにレ点が付されているオブジェクト・アイコンそれぞれは、オブジェクトＡ（３８１），Ｂ及びＣそれぞれが現在の簡易度でオブジェクト（３７１）上で利用可能であることを示す。同様に、オブジェクト（３７２）のオブジェクト・アイコンに付随するチェックボックスにレ点が付されているオブジェクト・アイコンは、オブジェクトＥ（３８２），Ｆ（３８３）及びＧが現在の簡易度でオブジェクト（３７２）上で利用可能であることを示す。一方、オブジェクト（３７２）のオブジェクト・アイコンに付随するチェックボックスにレ点が付されていないオブジェクト・アイコンは、オブジェクトＤが現在の簡易度でオブジェクト（３７２）上で利用可能でないことを示す。同様に、オブジェクト（３７３）のオブジェクト・アイコンに付随するチェックボックスにレ点が付されているオブジェクト・アイコンそれぞれは、オブジェクトＪ及びＫそれぞれが現在の簡易度でオブジェクト（３７３）上で利用可能であることを示す。一方、オブジェクト（３７３）のオブジェクト・アイコンに付随するチェックボックスにレ点が付されていないオブジェクト・アイコンは、オブジェクトＨ（３８５）が現在の簡易度でオブジェクト（３７３）上で利用可能でないことを示す。同様に、オブジェクト（３７４）のオブジェクト・アイコンに付随するチェックボックスにレ点が付されているオブジェクト・アイコンは、オブジェクトＭ（３８７）が現在の簡易度でオブジェクト（３７４）上で利用可能であることを示す。一方、オブジェクト（３７４）のオブジェクト・アイコンに付随するチェックボックスにレ点が付されていないオブジェクト・アイコンは、オブジェクトＬ（３８６）が現在の簡易度でオブジェクト（３７４）上で利用可能でないことを示す。
【０１７４】
従って、スライダー・バーにより設定された簡易度が複雑方向に移動することに応じて、スライド前に比べて、オブジェクト（３７１）上で利用可能なオブジェクトＡ（３８１）、オブジェクト（３７２）上で利用可能なオブジェクトＥ（３８３）及びＦ（３８４）、並びに、オブジェクト（３７４）上で利用可能なオブジェクトＭ（３８７）が新たに利用可能になっている。すなわち、上記電子装置は、簡易度がより複雑に設定されるに従い、より多くの利用可能なオブジェクト・アイコンに付随するチェックボックスにレ点を付している。逆に、上記電子装置は、簡易度がより簡単に設定されるに従い、当該簡易度に応じて利用可能でなくなるオブジェクトのオブジェクト・アイコンに付随するチェックボックスからレ点を消去するようにしうる。
【０１７５】
以上に示す通り、図３Ｄに示す態様では、上記電子装置は、スライダー・バーのスライドによって簡易度が設定されることに応じて、当該簡易度に応じた簡易パスワードを生成し、さらに当該設定された簡易度で利用可能なオブジェクトのオブジェクト・アイコンに付随するチェックボックスに及び／又は当該オブジェクト上で利用可能なオブジェクトのオブジェクト・アイコン上に付随するチェックボックスにレ点を付し、一方、当該設定された簡易度で利用可能でなくなるオブジェクトのオブジェクト・アイコンに付随するチェックボックスから及び／又は当該表示画面上のオブジェクト・アイコン上のオブジェクト・アイコンに付随するチェックボックスからレ点を消去するようにしうる。
【０１７６】
図３Ｅは、本発明の実施態様に従い、図３Ｄに示す画面（３０８）上において、パスワードの簡易度がさらに「複雑」になるようにスライダー・バーが「簡単」から「複雑」の方向にさらにスライドされることに応じて、簡易パスワードが当該簡易度に応じて変更される態様、及び、ユーザが利用しうるオブジェクトのオブジェクト・アイコンに付随するチェックボックスが当該簡易度に応じてオンに変化する態様を示す。
【０１７７】
図３Ｅに示す画面（３０８）は、図３Ｄに示す画面（３０８）と同じである。以下において、画面（３０８）という場合には、図３Ｅに示す画面（３０８）を意味する。
【０１７８】
ユーザが、上記スライダー・バーを簡易度「複雑」の方向にさらにスライドさせたとする（画面（３０８）上の点線矢印を参照）。
【０１７９】
画面（３０９）は、上記スライダー・バーがスライドされた後の画面を示す。
【０１８０】
画面（３０９）は、スライダー・バーが簡易度「複雑」にさらに近い側上にあり、当該簡易度に応じた簡易パスワードがアルファベットの連続する３文字である「abc」（半角小文字である）であることを示す。
【０１８１】
従って、スライダー・バーにより設定された簡易度が複雑方向にさらに移動することに応じて、スライド前の簡易パスワード（「ab」）に比べて、より長い簡易パスワード（「abc」）（但し、上記通常のパスワードよりも簡易である）が生成されている。すなわち、上記電子装置は、簡易度がより複雑に設定されるに従い、より長い簡易パスワードを生成するようにしうる。逆に、上記電子装置は、簡易度がより簡単に設定されるに従い、より短い簡易パスワードを生成するようにしうる。
【０１８２】
また、画面（３０９）は、上記スライダー・バーによって設定される簡易度においてユーザが利用可能な４つのオブジェクト（３７１，３７２，３７３及び３７４）それぞれに付随するチェックボックスにレ点が付されているオブジェクト・アイコンを示す。
【０１８３】
さらに、画面（３０９）は、上記スライダー・バーによって設定される簡易度に応じてユーザが利用可能な上記４つのオブジェクト（３７１，３７２，３７３及び３７４）それぞれ上でユーザが利用しうるオブジェクトのオブジェクト・アイコンを示す。オブジェクト（３７１）のオブジェクト・アイコンに付随するチェックボックスにレ点が付されているオブジェクト・アイコンそれぞれは、オブジェクトＡ，Ｂ及びＣそれぞれが現在の簡易度でオブジェクト（３７１）上で利用可能であることを示す。同様に、オブジェクト（３７２）のオブジェクト・アイコンに付随するチェックボックスにレ点が付されているオブジェクト・アイコンは、オブジェクトＤ（３９１），Ｅ，Ｆ及びＧが現在の簡易度でオブジェクト（３７２）上で利用可能であることを示す。同様に、オブジェクト（３７３）のオブジェクト・アイコンに付随するチェックボックスにレ点が付されているオブジェクト・アイコンそれぞれは、オブジェクトＨ（３９２），Ｊ及びＫそれぞれが現在の簡易度でオブジェクト（３７３）上で利用可能であることを示す。同様に、オブジェクト（３７４）のオブジェクト・アイコンに付随するチェックボックスにレ点が付されているオブジェクト・アイコンは、オブジェクトＭが現在の簡易度でオブジェクト（３７４）上で利用可能であることを示す。一方、オブジェクト（３７４）のオブジェクト・アイコンに付随するチェックボックスにレ点が付されていないオブジェクト・アイコンは、オブジェクトＬ（３９３）が現在の簡易度でオブジェクト（３７４）上で利用可能でないことを示す。
【０１８４】
従って、スライダー・バーにより設定された簡易度が複雑方向に移動することに応じて、スライド前に比べて、オブジェクト（３７２）上で利用可能なオブジェクトＤ（３９１）、及びオブジェクト（３７３）上で利用可能なオブジェクトＨ（３８５）が新たに利用可能になっている。すなわち、上記電子装置は、簡易度がより複雑に設定されるに従い、より多くの利用可能なオブジェクト・アイコンに付随するチェックボックスにレ点を付している。逆に、上記電子装置は、簡易度がより簡単に設定されるに従い、当該簡易度に応じて利用可能でなくなるオブジェクトのオブジェクト・アイコンに付随するチェックボックスからレ点を消去するようにしうる。
【０１８５】
以上に示す通り、図３Ｅに示す態様では、上記電子装置は、スライダー・バーによって簡易度がユーザによってさらに設定されることに応じて、当該簡易度に応じた簡易パスワードをさらに生成し、さらに当該設定された簡易度で利用可能なオブジェクトのオブジェクト・アイコンに付随するチェックボックスに及び／又は当該オブジェクト上で利用可能なオブジェクトのオブジェクト・アイコン上に付随するチェックボックスにレ点を付し、一方、当該設定された簡易度で利用可能でなくなるオブジェクトのオブジェクト・アイコンに付随するチェックボックスから及び／又は当該表示画面上のオブジェクト・アイコン上のオブジェクト・アイコンに付随するチェックボックスからレ点を消去するようにしうる。
【０１８６】
図４Ａ及び図４Ｂそれぞれは、本発明の実施態様に従い生成されたパスワードを入力して、当該入力されたパスワードで利用可能なオブジェクトのオブジェクト・アイコンを画面上に又は当該簡易度で利用可能なオブジェクトが利用可能なオブジェクトのオブジェクト・アイコン上に表示する画面例を示す。
【０１８７】
図４Ａに示す画面（３０７）は、図３Ｄに示す画面（３０７）と同じである。以下において、画面（３０７）という場合には、図４Ａに示す画面（３０７）を意味する。
【０１８８】
ユーザが、スライダー・バーがデフォルトの位置にある場合の簡易度（画面（３０７）のスライダー・バーの位置を参照）で利用可能なオブジェクトを利用したいとする。そして、ユーザが、本発明の実施態様に従う簡易パスワードの生成処理を終了したとする。
【０１８９】
上記電子装置は、ユーザからの簡易パスワードを入力する画面の呼び出しに応じて、簡易パスワード入力画面（４０１）を表示する。
【０１９０】
ユーザは、上記電子装置に、簡易パスワード「a」（半角小文字である）を入力する。
【０１９１】
上記電子装置は、入力された文字列「a」を受け取り、当該入力文字列と登録された簡易パスワード「a」とが一致するかを認証する。
【０１９２】
上記電子装置は、上記入力文字列が上記登録された簡易パスワード「a」と一致することに応じて、上記簡易度に応じてユーザが利用可能なオブジェクト、すなわち、４つのアプリケーション（３７１，３７２，３７３及び３７４）それぞれのアプリケーション・アイコン、並びに、アプリケーション（３７１）上で利用可能なオブジェクトＢ及びＣそれぞれのオブジェクト・アイコン、アプリケーション（３７２）上で利用可能なオブジェクトＧのオブジェクト・アイコン、及び、アプリケーション（３７３）上で利用可能なオブジェクトＪ及びＫそれぞれのオブジェクト・アイコンを含む初期表示画面を構成し、当該初期表示画面を表示装置上に表示する。
【０１９３】
画面（４０２）は、上記初期表示画面を示す。なお、上記簡易度に応じてユーザが利用可能でないオブジェクトのオブジェクト・アイコンは、上記初期表示画面上に含まれていない。また、オブジェクト・アイコン上に付随するチェックボックスは、上記初期表示画面上に含まれていない。
【０１９４】
図４Ｂに示す画面（３０８）は、図３Ｄに示す画面（３０７）と同じである。以下において、画面（３０７）という場合には、図４Ａに示す画面（３０７）を意味する。
【０１９５】
上記電子装置は、スライダー・バーの移動によって簡易度がユーザによって設定されることに応じて、当該簡易度に応じた簡易パスワード「１３５８５」を生成したとする。
【０１９６】
上記電子装置は、ユーザからの簡易パスワードを入力する画面の呼び出しに応じて、簡易パスワード入力画面（４１１）を表示する。
【０１９７】
ユーザは、上記電子装置に、簡易パスワード「ab」を入力する。
【０１９８】
上記電子装置は、入力された文字列「ab」を受け取り、当該入力文字列と登録された簡易パスワード「ab」とが一致するかを認証する。
【０１９９】
上記電子装置は、上記入力文字列が上記登録された簡易パスワード「ab」と一致することに応じて、上記簡易度に応じてユーザが利用可能なオブジェクト、すなわち、４つのアプリケーション（３７１，３７２，３７３及び３７４）それぞれのアプリケーション・アイコン、並びに、アプリケーション（３７１）上で利用可能なオブジェクトＡ，Ｂ及びＣそれぞれのオブジェクト・アイコン、アプリケーション（３７２）上で利用可能なオブジェクトＥ，Ｆ及びＧそれぞれのオブジェクト・アイコン、アプリケーション（３７３）上で利用可能なオブジェクトＪ及びＫそれぞれのオブジェクト・アイコン、及び、アプリケーション（３７４）上で利用可能なオブジェクトＭのオブジェクト・アイコンを含む初期表示画面を構成し、当該初期表示画面を表示装置上に表示する。
【０２００】
画面（４１２）は、上記初期表示画面を示す。なお、上記簡易度に応じてユーザが利用可能でないオブジェクトのオブジェクト・アイコンは、上記初期表示画面上に含まれていない。また、オブジェクト・アイコン上に付随するチェックボックスは、上記初期表示画面上に含まれていない。
【０２０１】
図５Ａ〜図５Ｄそれぞれは、本発明の実施態様に従い、利用しうるオブジェクト・アイコンを別のオブジェクト・アイコン上に移動し、当該オブジェクト・アイコンを利用可能にする為の簡易度に応じたパスワードが画面上に表示されるとともに、当該簡易度で利用可能なオブジェクトのオブジェクト・アイコンを画面上に又は当該簡易度で利用可能なオブジェクトが利用可能なオブジェクトのオブジェクト・アイコン上に表示する画面例を示す。
【０２０２】
図５Ａは、本発明の実施態様に従い、利用したいオブジェクト・アイコンが所定の位置又は別のオブジェクト・アイコン上に移動されることに応じて、上記電子装置が、当該電子装置全体に対する簡易度を再計算し、当該再計算された簡易度に応じたパスワードを生成する態様を示す。
【０２０３】
ユーザが上記通常のパスワードを上記電子装置に入力し、そして当該電子装置が入力された当該通常のパスワードを認証したとする。当該電子装置は、当該認証が成功した場合において、例えばオブジェクトの移動又は選択を可能にする画面（５０１）を表示しうる。
【０２０４】
画面（５０１）は、現在表示している簡易パスワード（「a」）（半角小文字である）で利用可能なオブジェクト（以下、上記利用可能なオブジェクトともいう）のオブジェクト・アイコン、及び、現在表示している簡易パスワードで利用可能でないが簡易度が変更されることで利用しうるオブジェクト（以下、上記利用しうるオブジェクトともいう）のオブジェクト・アイコンを示す。上記利用しうるオブジェクトのオブジェクト・アイコンとは、画面上にあるオブジェクト・アイコン、及び当該画面上にあるオブジェクト・アイコン上にあるオブジェクト・アイコンを意味する。上記利用しうるオブジェクトとは、ユーザによる選択によって利用可能にすることが可能なオブジェクトである。
【０２０５】
画面（５０１）は、例えばユーザ又は本発明の実施態様に従う電子装置用プログラムによって予め設定されたデフォルトの簡易度、又は、直前に設定された簡易度において利用可能なオブジェクトを表示している。画面（５０１）において、上記利用可能なオブジェクトは、オブジェクト（５１１）及び当該オブジェクト（５１１）のオブジェクト・アイコン上にあるオブジェクトＢ及びＣ、並びに、オブジェクト（５１２）及び当該オブジェクト（５１２）のオブジェクト・アイコン上にあるオブジェクトＧである。
【０２０６】
画面（５０１）は、例えばユーザ又は本発明の実施態様に従う電子装置用プログラムによって予め設定されたデフォルトの簡易度、又は、直前に設定された簡易度において利用可能でないオブジェクトを、上記利用しうるオブジェクトとして表示している。画面（５０１）において、上記利用しうるオブジェクトは、オブジェクト（５１３）、並びに、オブジェクトＡ、オブジェクトＤ，Ｅ及びＦ，並びに、オブジェクトＨ，Ｋ及びＪである。オブジェクト（５１３）のオブジェクト・アイコンは、画面上に直接的に表示されるものである。オブジェクトＡ、オブジェクトＤ，Ｅ及びＦ，並びに、オブジェクトＨ，Ｋ及びＪそれぞれのオブジェクト・アイコンは、画面上に直接的に表示される上記オブジェクトのオブジェクト・アイコン上に重畳して表示されるものである。例えば、オブジェクト（５１３）のオブジェクト・アイコンは、オブジェクトＡ、オブジェクトＤ，Ｅ及びＦ，並びに、オブジェクトＨ，Ｋ及びＪそれぞれのオブジェクト・アイコンよりも大きく表示されるようにしうる。
【０２０７】
上記電子装置は、上記簡易度に応じて簡易パスワードを生成する。画面（５０１）は、当該簡易パスワードがキーボード上の中段最左端にあるキー１個分である「a」（半角小文字である）であることを示す。
【０２０８】
ユーザは、上記利用しうるオブジェクトの中から、利用したいオブジェクトを例えばポインティング・デバイス又はタッチ操作により選択することが可能である。例えばオブジェクトＡ（５２１）を利用したい場合には、ユーザは、オブジェクトＡ（５２１）をオブジェクト（５１１）上にドラッグ・アンド・ドロップする。同様に、例えばオブジェクトＥ（５２２）又はオブジェクトＦ（５２３）を利用したい場合には、ユーザは、オブジェクトＥ（５２２）及びオブジェクトＦ（５２３）を個別に又は同時に選択してオブジェクト（５１２）のオブジェクト・アイコン上にドラッグ・アンド・ドロップする。同様に、例えばオブジェクト（５１３）並びにオブジェクトＫ（５２５）及びオブジェクトＪ（５２４）を利用したい場合には、ユーザは、最初にオブジェクト（５１３）を利用可能にするために、所定の動作（例えば、オブジェクト（５１３）を所定の位置に移動したり、又は、ダブルクリックしたりする）を行う。上記電子装置は、当該所定の動作により、オブジェクト（５１３）のオブジェクト・アイコンをオブジェクト（５１１）及びオブジェクト（５１２）それぞれのオブジェクト・アイコンと同じ大きさで表示して、当該オブジェクト（５１３）が利用可能なオブジェクトになったことを示す。次に、ユーザは、オブジェクトＪ（５２４）及びオブジェクトＫ（５２５）を個別に又は同時に選択してオブジェクト（５１３）のオブジェクト・アイコン上にドラッグ・アンド・ドロップする。
【０２０９】
画面（５０２）は、上記各オブジェクトがドラッグ・アンド・ドロップされた後の画面を示す。なお、オブジェクトＤ及びオブジェクトＨは、ユーザに選択されていない。
【０２１０】
画面（５０２）は、上記各オブジェクトがドラッグ・アンド・ドロップされた後の簡易度に応じた簡易パスワードがキーボード上の中段最左端からの連続するキー２個分である「as」（半角小文字である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２１１】
従って、利用可能なオブジェクトが増えるに従って、ドラッグ・アンド・ドロップ前の簡易パスワード（「a」）に比べて、より長い簡易パスワード（「as」）（但し、上記通常のパスワードよりも簡易である）が生成されている。すなわち、上記電子装置は、再計算された簡易度が高くなるほど、より長い簡易パスワードを生成するようにしうる。逆に、上記電子装置は、再計算された簡易度が低くなるほど、より短い簡易パスワードを生成するようにしうる。
【０２１２】
以上に示す通り、図５Ａに示す態様では、上記電子装置は、ドラッグ・アンド・ドロップによってオブジェクトが所定の位置又は別のオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２１３】
図５Ｂは、本発明の実施態様に従い、利用したいオブジェクト・アイコンが選択されることによって、上記電子装置が、当該電子装置全体に対する簡易度を再計算し、当該再計算された簡易度に応じたパスワードを生成する態様を示す。
【０２１４】
ユーザが上記通常のパスワードを上記電子装置に入力し、そして当該電子装置が入力された当該通常のパスワードを認証したとする。当該電子装置は、当該認証が成功した場合において、例えばユーザが利用しうるオブジェクトの選択を可能にするメニューが呼び出されることに応じて、例えばオブジェクトの選択を可能にする画面（５０３）を表示しうる。
【０２１５】
画面（５０３）は、現在表示している簡易パスワード（「p」）（半角小文字である）で利用可能なオブジェクト（上記利用可能なオブジェクト）のオブジェクト・アイコン、及び、現在表示している簡易パスワードで利用可能でないが簡易度が変更されることで利用しうるオブジェクト（上記利用しうるオブジェクト）のオブジェクト・アイコンを示す。
【０２１６】
画面（５０３）は、例えばユーザ又は本発明の実施態様に従う電子装置用プログラムによって予め設定されたデフォルトの簡易度、又は、直前に設定された簡易度において利用可能なオブジェクト（実線で示されている）を表示している。画面（５０３）において、上記利用可能なオブジェクトは、オブジェクト（５３１）及び当該オブジェクト（５３１）のオブジェクト・アイコン上にあるオブジェクトＢ及びＣ、オブジェクト（５３２）及び当該オブジェクト（５３２）のオブジェクト・アイコン上にあるオブジェクトＧ、並びに、オブジェクト（５３３）及び当該オブジェクト（５３３）のオブジェクト・アイコン上にあるオブジェクトＪ及びＫである。
【０２１７】
画面（５０３）は、例えばユーザ又は本発明の実施態様に従う電子装置用プログラムによって予め設定されたデフォルトの簡易度、又は、直前に設定された簡易度において利用可能でないオブジェクトを、上記利用しうるオブジェクト（点線で示されている）として表示している。画面（５０３）において、上記利用しうるオブジェクトは、オブジェクト（５３１）のオブジェクト・アイコン上にあるオブジェクトＡ、オブジェクト（５３２）のオブジェクト・アイコン上にあるオブジェクトＤ，Ｅ及びＦ、オブジェクト（５３３）のオブジェクト・アイコン上にあるオブジェクトＨ、並びに、オブジェクト（５３４）及び当該オブジェクト（５３４）のオブジェクト・アイコン上にあるオブジェクトＬ及びＭである。
【０２１８】
また、画面（５０３）は、簡易パスワードとして、発声しやすいフレーズ「pa」の一部である「p」（半角小文字である）を示している。上記電子装置は、当該簡易パスワードを、現在利用可能なオブジェクトそれぞれに関連付けられた簡易度に基づいて、当該電子装置全体に対して計算した簡易度に対応して生成する。
【０２１９】
ユーザは、上記利用しうるオブジェクトの中から、利用したいオブジェクトを例えばポインティング・デバイス又はタッチ操作により選択する（例えば、クリック又はダブルクリックする）ことが可能である。例えばオブジェクトＡ（５４１）を利用したい場合には、ユーザは、オブジェクトＡ（５２１）を選択する。同様に、例えばオブジェクトＥ（５４２）及びオブジェクトＦ（５４３）を利用したい場合には、ユーザは、オブジェクトＥ（５４２）及びオブジェクトＦ（５４３）を個別に又は同時に選択する。同様に、例えばオブジェクト（５３４）及びオブジェクトＭ（５４４）を利用したい場合には、ユーザは、最初にオブジェクト（５３４）を利用可能にするために、オブジェクト（５３４）を選択し、次にオブジェクトＭ（５４４）を選択する。代替的には、ユーザがオブジェクトＭ（５４４）のみを選択することによって、当該オブジェクトＭ（５４４）が利用可能になる為に必要とされるオブジェクト（５３４）が上記電子装置によって自動的に選択される。
【０２２０】
画面（５０４）は、上記各オブジェクトが選択された後の画面を示す。なお、オブジェクトＤ、Ｈ及びＬは、ユーザに選択されていない。
【０２２１】
画面（５０４）は、上記各オブジェクトが選択された後の当該電子装置全体に対する簡易度に応じた簡易パスワードが発声しやすいフレーズである「pa」（半角小文字である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２２２】
従って、利用可能なオブジェクトが増えるに従って、オブジェクト選択前の簡易パスワード（「p」）に比べて、より長い簡易パスワード（「pa」）（但し、上記通常のパスワードよりも簡易である）が生成されている。すなわち、上記電子装置は、再計算された簡易度が高くなるほど、より長い簡易パスワードを生成するようにしうる。逆に、上記電子装置は、再計算された簡易度が低くなるほど、より短い簡易パスワードを生成するようにしうる。
【０２２３】
以上に示す通り、図５Ｂに示す態様では、上記電子装置は、オブジェクトが選択されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２２４】
図５Ｃは、本発明の実施態様に従い、利用したいオブジェクト・アイコンが選択されることによって、上記電子装置が、当該電子装置全体に対する簡易度を再計算し、当該再計算された簡易度に応じたパスワードを生成する態様を示す。
【０２２５】
ユーザが上記通常のパスワードを上記電子装置に入力し、そして当該電子装置が入力された当該通常のパスワードを認証したとする。当該電子装置は、当該認証が成功した場合において、例えばユーザが利用しうるオブジェクトの選択を可能にするメニューが呼び出されることに応じて、例えばオブジェクトの選択を可能にする画面（５０５）を表示しうる。
【０２２６】
画面（５０５）は、現在表示している簡易パスワード（「+」）（半角である）で利用可能なオブジェクト（上記利用可能なオブジェクト）のオブジェクト・アイコン、及び、現在表示している簡易パスワードで利用可能でないが簡易度が変更されることで利用しうるオブジェクト（上記利用しうるオブジェクト）のオブジェクト・アイコンを示す。
【０２２７】
画面（５０５）は、例えばユーザ又は本発明の実施態様に従う電子装置用プログラムによって予め設定されたデフォルトの簡易度、又は、直前に設定された簡易度において利用可能なオブジェクト（黒色実線、影無しで示されている）を表示している。画面（５０５）において、上記利用可能なオブジェクトは、オブジェクト（５５１）及び当該オブジェクト（５５１）のオブジェクト・アイコン上にあるオブジェクトＢ及びＣ、オブジェクト（５５２）及び当該オブジェクト（５５２）のオブジェクト・アイコン上にあるオブジェクトＧ、並びに、オブジェクト（５５３）及び当該オブジェクト（５５３）のオブジェクト・アイコン上にあるオブジェクトＪ及びＫである。
【０２２８】
画面（５０５）は、例えばユーザ又は本発明の実施態様に従う電子装置用プログラムによって予め設定されたデフォルトの簡易度、又は、直前に設定された簡易度において利用可能でないオブジェクトを、上記利用しうるオブジェクト（灰色実線、影有りで示されている）として表示している。画面（５０５）において、上記利用しうるオブジェクトは、オブジェクト（５５１）のオブジェクト・アイコン上にあるオブジェクトＡ、オブジェクト（５５２）のオブジェクト・アイコン上にあるオブジェクトＤ，Ｅ及びＦ、オブジェクト（５５３）のオブジェクト・アイコン上にあるオブジェクトＨ、並びに、オブジェクト（５５４）及び当該オブジェクト（５５４）のオブジェクト・アイコン上にあるオブジェクトＬ及びＭである。
【０２２９】
また、画面（５０５）は、簡易パスワードとして、記号１文字である「+」（半角である）を示している。上記電子装置は、当該簡易パスワードを、現在利用可能なオブジェクトそれぞれに関連付けられた簡易度に基づいて、当該電子装置全体に対して計算した簡易度に対応して生成する。
【０２３０】
ユーザは、上記利用しうるオブジェクトの中から、利用したいオブジェクトを例えばポインティング・デバイス又はタッチ操作により選択する（例えば、クリック又はダブルクリックする）ことが可能である。例えばオブジェクトＡ（５６１）を利用したい場合には、ユーザは、オブジェクトＡ（５６１）を選択する。同様に、例えばオブジェクトＥ（５６２）及びオブジェクトＦ（５６３）を利用したい場合には、ユーザは、オブジェクトＥ（５６２）及びオブジェクトＦ（５６３）を個別に又は同時に選択する。同様に、例えばオブジェクト（５５４）及びオブジェクトＭ（５６４）を利用したい場合には、ユーザは、最初にオブジェクト（５５４）を利用可能にするために、オブジェクト（５５４）を選択し、次にオブジェクトＭ（５６４）を選択する。代替的には、ユーザがオブジェクトＭ（５６４）のみを選択することによって、当該オブジェクトＭ（５６４）が利用可能になる為に必要とされるオブジェクト（５５４）が上記電子装置によって自動的に選択される。
【０２３１】
画面（５０６）は、上記各オブジェクトが選択された後の画面を示す。なお、オブジェクトＤ、Ｈ及びＬは、ユーザに選択されていない。
【０２３２】
画面（５０６）は、上記各オブジェクトが選択された後の当該電子装置全体に対する簡易度に応じた簡易パスワードが記号２文字である「+-」（半角である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２３３】
従って、利用可能なオブジェクトが増えるに従って、オブジェクト選択前の簡易パスワード（「+」）に比べて、より長い簡易パスワード（「+-」）（但し、上記通常のパスワードよりも簡易である）が生成されている。すなわち、上記電子装置は、再計算された簡易度が高くなるほど、より長い簡易パスワードを生成するようにしうる。逆に、上記電子装置は、再計算された簡易度が低くなるほど、より短い簡易パスワードを生成するようにしうる。
【０２３４】
以上に示す通り、図５Ｃに示す態様では、上記電子装置は、オブジェクトが選択されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２３５】
図５Ｄは、本発明の実施態様に従い、利用したいオブジェクト・アイコンに付随するチェックボックスがオンにされることによって、上記電子装置が、当該電子装置全体に対する簡易度を再計算し、当該再計算された簡易度に応じたパスワードを生成する態様を示す。
【０２３６】
ユーザが上記通常のパスワードを上記電子装置に入力し、そして当該電子装置が入力された当該通常のパスワードを認証したとする。当該電子装置は、当該認証が成功した場合において、例えばユーザが利用しうるオブジェクトの選択を可能にするメニューが呼び出されることに応じて、例えばオブジェクトの選択を可能にする画面（５０７）を表示しうる。
【０２３７】
画面（５０７）は、現在表示している簡易パスワード（「A」）（半角大文字である）で利用可能なオブジェクト（上記利用可能なオブジェクト）のオブジェクト・アイコン、及び、現在表示している簡易パスワードで利用可能でないが簡易度が変更されることで利用しうるオブジェクト（上記利用しうるオブジェクト）のオブジェクト・アイコンを示す。
【０２３８】
画面（５０７）は、例えばユーザ又は本発明の実施態様に従う電子装置用プログラムによって予め設定されたデフォルトの簡易度、又は、直前に設定された簡易度において利用可能なオブジェクトを表示している。当該利用可能なオブジェクトであることは、当該オブジェクトのオブジェクト・アイコンに付随するチェックボックスがオン（例えば、レ点が付く）であることにより示される。画面（５０７）において、上記利用可能なオブジェクトは、オブジェクト（５７１）及び当該オブジェクト（５７１）のオブジェクト・アイコン上にあるオブジェクトＢ及びＣ、オブジェクト（５７２）及び当該オブジェクト（５７２）のオブジェクト・アイコン上にあるオブジェクトＧ、並びに、オブジェクト（５７３）及び当該オブジェクト（５７３）のオブジェクト・アイコン上にあるオブジェクトＪ及びＫである。
【０２３９】
画面（５０７）は、例えばユーザ又は本発明の実施態様に従う電子装置用プログラムによって予め設定されたデフォルトの簡易度、又は、直前に設定された簡易度において利用可能でないオブジェクトを、上記利用しうるオブジェクトとして表示している。当該利用しうるオブジェクトであることは、当該オブジェクトのオブジェクト・アイコンに付随するチェックボックスがオフ（例えば、レ点が付いていない）であることにより示される。画面（５０７）において、上記利用しうるオブジェクトは、オブジェクト（５７１）のオブジェクト・アイコン上にあるオブジェクトＡ、オブジェクト（５７２）のオブジェクト・アイコン上にあるオブジェクトＤ，Ｅ及びＦ、オブジェクト（５７３）のオブジェクト・アイコン上にあるオブジェクトＨ、並びに、オブジェクト（５７４）及び当該オブジェクト（５７４）のオブジェクト・アイコン上にあるオブジェクトＬ及びＭである。
【０２４０】
また、画面（５０７）は、簡易パスワードとして、アルファベットの最初の１文字である「A」（半角大文字である）を示している。上記電子装置は、当該簡易パスワードを、現在利用可能なオブジェクトそれぞれに関連付けられた簡易度に基づいて、当該電子装置全体に対して計算した簡易度に対応して生成する。
【０２４１】
ユーザは、上記利用しうるオブジェクトの中から、利用したいオブジェクトを例えばポインティング・デバイス又はタッチ操作により選択する（例えば、クリック又はダブルクリックする）ことが可能である。例えばオブジェクトＡ（５７１）を利用したい場合には、ユーザは、オブジェクトＡ（５７１）を選択する。同様に、例えばオブジェクトＥ（５８２）及びオブジェクトＦ（５８３）を利用したい場合には、ユーザは、オブジェクトＥ（５８２）及びオブジェクトＦ（５８３）を個別に又は同時に選択する。同様に、例えばオブジェクト（５７４）及びオブジェクトＭ（５８４）を利用したい場合には、ユーザは、最初にオブジェクト（５７４）を利用可能にするために、オブジェクト（５７４）を選択し、次にオブジェクトＭ（５８４）を選択する。代替的には、ユーザがオブジェクトＭ（５８４）のみを選択することによって、当該オブジェクトＭ（５８４）が利用可能になる為に必要とされるオブジェクト（５７４）が上記電子装置によって自動的に選択される。
【０２４２】
画面（５０８）は、上記各オブジェクトが選択された後の画面を示す。なお、オブジェクトＤ、Ｈ及びＬは、ユーザに選択されていない。
【０２４３】
画面（５０８）は、上記各オブジェクトのオブジェクト・アイコンに付随するチェックボックスがオンにされた後の当該電子装置全体に対する簡易度に応じた簡易パスワードがアルファベットの連続する２文字である「AB」（半角大文字である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２４４】
従って、利用可能なオブジェクトが増えるに従って、チェックボックスがオンにされる前の簡易パスワード（「A」）に比べて、より長い簡易パスワード（「AB」）（但し、上記通常のパスワードよりも簡易である）が生成されている。すなわち、上記電子装置は、再計算された簡易度が高くなるほど、より長い簡易パスワードを生成するようにしうる。逆に、上記電子装置は、再計算された簡易度が低くなるほど、より短い簡易パスワードを生成するようにしうる。
【０２４５】
以上に示す通り、図５Ｄに示す態様では、上記電子装置は、チェックボックスがオンにされることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２４６】
図５Ｅは、本発明の実施態様に従い、図５Ｄに示す画面（５０８）上において、利用したいオブジェクトのオブジェクト・アイコンに付随するチェックボックスがオンにされることによって、上記電子装置が、当該電子装置全体に対する簡易度を再計算し、当該再計算された簡易度に応じたパスワードを生成する態様を示す。
【０２４７】
図５Ｅに示す画面（５０８）は、図５Ｄに示す画面（５０８）と同じである。以下において、画面（５０８）という場合には、図５Ｅに示す画面（５０８）を意味する。
【０２４８】
ユーザは、利用しうるオブジェクトの中から、利用したいオブジェクトを例えばポインティング・デバイス又はタッチ操作により選択する（例えば、クリック又はダブルクリックする）ことが可能である。例えばオブジェクトＤ（５９１）を利用したい場合には、ユーザは、オブジェクトＤ（５９１）を選択する。同様に、例えばオブジェクトＨ（５９２）を利用したい場合には、ユーザは、オブジェクトＨ（５９２）を選択する。
【０２４９】
画面（５０９）は、上記各オブジェクトが選択された後の画面を示す。なお、オブジェクトＬは、ユーザに選択されていない。
【０２５０】
画面（５０９）は、上記各オブジェクトのオブジェクト・アイコンに付随するチェックボックスがオンにされた後の当該電子装置全体に対する簡易度に応じた簡易パスワードがアルファベットの連続する３文字である「ABC」（半角大文字である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２５１】
従って、利用可能なオブジェクトが増えるに従って、チェックボックスがオンにされる前の簡易パスワード（「AB」）に比べて、より長い簡易パスワード（「ABC」）（但し、上記通常のパスワードよりも簡易である）が生成されている。すなわち、上記電子装置は、再計算された簡易度が高くなるほど、より長い簡易パスワードを生成するようにしうる。逆に、上記電子装置は、再計算された簡易度が低くなるほど、より短い簡易パスワードを生成するようにしうる。
【０２５２】
以上に示す通り、図５Ｅに示す態様では、上記電子装置は、チェックボックスがオンにされることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２５３】
図６Ａ及び図６Ｂそれぞれは、本発明の実施態様に従い生成されたパスワードを入力して、当該入力されたパスワードで利用可能なオブジェクトのオブジェクト・アイコンを画面上に又は当該簡易度で利用可能なオブジェクトが利用可能なオブジェクトのオブジェクト・アイコン上に表示する画面例を示す。
【０２５４】
図６Ａに示す画面（５０２）は、図５Ａに示す画面（５０２）と同じである。以下において、画面（５０２）という場合には、図６Ａに示す画面（５０２）を意味する。
【０２５５】
ユーザが、画面（５０２）において利用可能なオブジェクトを利用したいとする。そして、ユーザが、本発明の実施態様に従う簡易パスワードの生成処理を終了したとする。
【０２５６】
上記電子装置は、ユーザからの簡易パスワードを入力する画面の呼び出しに応じて、簡易パスワード入力画面（６０１）を表示する。
【０２５７】
ユーザは、上記電子装置に、簡易パスワード「as」（半角小文字である）を入力する。
【０２５８】
上記電子装置は、入力された文字列「as」を受け取り、当該入力文字列と登録された簡易パスワード「as」とが一致するかを認証する。
【０２５９】
上記電子装置は、上記入力文字列が上記登録された簡易パスワード「as」と一致することに応じて、上記簡易度に応じてユーザが利用可能なオブジェクト、すなわち、３つのアプリケーション（５１１，５１２，及び５１３）それぞれのアプリケーション・アイコン、並びに、アプリケーション（５１１）上で利用可能なオブジェクトＡ，Ｂ及びＣそれぞれのオブジェクト・アイコン、アプリケーション（５１２）上で利用可能なオブジェクトＥ，Ｆ及びＧそれぞれのオブジェクト・アイコン、並びに、アプリケーション（５１３）上で利用可能なオブジェクトＪ及びＫそれぞれのオブジェクト・アイコンを含む初期表示画面を構成し、当該初期表示画面を表示装置上に表示する。
【０２６０】
画面（６０２）は、上記初期表示画面を示す。なお、上記簡易度に応じてユーザが利用可能でないオブジェクトのオブジェクト・アイコンは、上記初期表示画面上に含まれていない。
【０２６１】
図６Ｂに示す画面（５０８）は、図５Ｄに示す画面（５０８）と同じである。以下において、画面（５０８）という場合には、図６Ｂに示す画面（５０８）を意味する。
【０２６２】
ユーザが、画面（５０８）において利用可能なオブジェクトを利用したいとする。そして、ユーザが、本発明の実施態様に従う簡易パスワードの生成処理を終了したとする。
【０２６３】
上記電子装置は、ユーザからの簡易パスワードを入力する画面の呼び出しに応じて、簡易パスワード入力画面（６１１）を表示する。
【０２６４】
ユーザは、上記電子装置に、簡易パスワード「AB」（半角大文字である）を入力する。
【０２６５】
上記電子装置は、入力された文字列「AB」を受け取り、当該入力文字列と登録された簡易パスワード「AB」とが一致するかを認証する。
【０２６６】
上記電子装置は、上記入力文字列が上記登録された簡易パスワード「AB」と一致することに応じて、上記簡易度に応じてユーザが利用可能なオブジェクト、すなわち、４つのアプリケーション（５７１，５７２，５７３及び５７４）それぞれのアプリケーション・アイコン、並びに、アプリケーション（５７１）上で利用可能なオブジェクトＡ，Ｂ及びＣそれぞれのオブジェクト・アイコン、アプリケーション（５７２）上で利用可能なオブジェクトＥ，Ｆ及びＧそれぞれのオブジェクト・アイコン、アプリケーション（５７３）上で利用可能なオブジェクトＪ及びＫそれぞれのオブジェクト・アイコン、並びにアプリケーション（５７４）上で利用可能なオブジェクトＭのオブジェクト・アイコンを含む初期表示画面を構成し、当該初期表示画面を表示装置上に表示する。
【０２６７】
画面（６１２）は、上記初期表示画面を示す。なお、上記簡易度に応じてユーザが利用可能でないオブジェクトのオブジェクト・アイコンは、上記初期表示画面上に含まれていない。また、オブジェクト・アイコン上に付随するチェックボックスは、上記初期表示画面上に含まれていない。
【０２６８】
図７Ａ〜図７Ｃは、本発明の実施態様に従い、パスワードの簡易度を設定することを可能にするスライダー・バーを使用してパスワードの簡易度を設定する（すなわち、変更する）ことを可能にし、且つ、利用したいオブジェクト・アイコンが所定の位置又は別のオブジェクト・アイコン上に移動されることを可能にし、上記電子装置が、当該電子装置全体に対する簡易度を再計算し、当該再計算された簡易度に応じたパスワードを生成する態様を示す。
【０２６９】
図７Ａは、本発明の実施態様に従い、パスワードの簡易度を設定することを可能にするスライダー・バーを使用してパスワードの簡易度を設定し、次に、ドラッグ・アンド・ドロップによって利用したいオブジェクトが別のオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する態様を示す。
【０２７０】
ユーザが上記通常のパスワードを上記電子装置に入力し、そして当該電子装置が入力された当該通常のパスワードを認証したとする。当該電子装置は、当該認証が成功した場合において、例えばパスワードの簡易度を設定するメニューが呼び出されることに応じて、パスワードの簡易度を設定することを可能にする画面を表示しうる。
【０２７１】
画面（７０１）は、スライダー・バーを使用してパスワードの簡易度を設定した後の画面を示す。
【０２７２】
画面（７０１）は、パスワードの簡易度を設定することを可能にするスライダー・バー、当該スライダー・バーの移動により設定された簡易度に応じて生成される簡易パスワード、並びに、現在表示している簡易パスワード（「1」）（半角である）で利用可能なオブジェクト（上記利用可能なオブジェクト）のオブジェクト・アイコン、及び、現在表示している簡易パスワードで利用可能でないが簡易度が変更されることで利用しうるオブジェクト（上記利用しうるオブジェクト）のオブジェクト・アイコンを示す。
【０２７３】
ユーザは、上記利用しうるオブジェクトの中から、利用したいオブジェクトを例えばポインティング・デバイス又はタッチ操作により選択することが可能である。ユーザが、例えばオブジェクトＡ（７２１）を利用したいとする。オブジェクトＡ（７２１）は、オブジェクト（７１１）上で利用可能なオブジェクト（例えば、アプリケーション又はデータ・コンテンツ）であるとする。ユーザは、オブジェクトＡ（７２１）をオブジェクト（７１１）上にドラッグ・アンド・ドロップする。
【０２７４】
画面（７０２）は、上記オブジェクトＡ（７２１）がドラッグ・アンド・ドロップされた後の画面を示す。なお、オブジェクトＤ，Ｅ及びＦは、ユーザに選択されていない。
【０２７５】
画面（７０２）は、上記各オブジェクトがドラッグ・アンド・ドロップされた後の簡易度に応じた簡易パスワードが数字の連続する２文字である「12」（半角である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。また、当該再計算された簡易度に応じて、スライダー・バーを自動的に移動する。
【０２７６】
従って、利用したいオブジェクトの選択に従って、ドラッグ・アンド・ドロップ前の簡易パスワード（「1」）に比べて、より長い簡易パスワード（「12」）（但し、上記通常のパスワードよりも簡易である）が生成されている。すなわち、上記電子装置は、利用したいオブジェクトが追加され、当該追加されたオブジェクトに関連付けられた簡易度によっては、より長い簡易パスワードを生成するようにしうる。逆に、上記電子装置は、オブジェクトが利用出来ないように削除又は移動された場合には、当該削除又は移動されたオブジェクトに関連付けられた簡易度によっては、より短い簡易パスワードを生成するようにしうる。
【０２７７】
以上に示す通り、図７Ａに示す態様では、上記電子装置は、スライダー・バーを使用してパスワードの簡易度が設定された後に、さらにドラッグ・アンド・ドロップによって利用したいオブジェクトが所定の位置又は別のオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２７８】
図７Ｂは、本発明の実施態様に従い、パスワードの簡易度を設定することを可能にするスライダー・バーを使用してパスワードの簡易度を設定し、次に、ドラッグ・アンド・ドロップによって利用したいオブジェクトが別のオブジェクトで利用可能なオブジェクトのオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する態様を示す。
【０２７９】
ユーザが上記通常のパスワードを上記電子装置に入力し、そして当該電子装置が入力された当該通常のパスワードを認証したとする。当該電子装置は、当該認証が成功した場合において、例えばパスワードの簡易度を設定するメニューが呼び出されることに応じて、パスワードの簡易度を設定することを可能にする画面を表示しうる。
【０２８０】
画面（７０３）は、スライダー・バーを使用してパスワードの簡易度を設定した後の画面を示す。
【０２８１】
画面（７０３）は、パスワードの簡易度を設定することを可能にするスライダー・バー、当該スライダー・バーの移動により設定された簡易度に応じて生成される簡易パスワード、並びに、現在表示している簡易パスワード（「a」）（半角小文字である）で利用可能なオブジェクト（上記利用可能なオブジェクト）のオブジェクト・アイコン、及び、現在表示している簡易パスワードで利用可能でないが簡易度が変更されることで利用しうるオブジェクト（上記利用しうるオブジェクト）のオブジェクト・アイコンを示す。
【０２８２】
ユーザは、上記利用しうるオブジェクトの中から、利用したいオブジェクトを例えばポインティング・デバイス又はタッチ操作により選択することが可能である。ユーザが、例えばオブジェクトａ（７４１）を利用したいとする。オブジェクトａ（７４１）は、オブジェクト７３１上で利用可能なオブジェクトＣ上で利用可能なオブジェクト（例えば、アプリケーション又はデータ・コンテンツ）であるとする。ユーザは、オブジェクトａ（７４１）をオブジェクトＣ上にドラッグ・アンド・ドロップする。
【０２８３】
画面（７０４）は、上記オブジェクトａ（７４１）がドラッグ・アンド・ドロップされた後の画面を示す。なお、オブジェクトＡ，Ｄ，Ｅ及びＦは、ユーザに選択されていない。
【０２８４】
画面（７０４）は、オブジェクトａ（７４１）がオブジェクトＣ上で利用可能であるために、オブジェクトＣのオブジェクト・アイコン上にオブジェクトａ（７４１）のオブジェクト・アイコンを表示する。
【０２８５】
また、画面（７０４）は、上記各オブジェクトがドラッグ・アンド・ドロップされた後の簡易度に応じた簡易パスワードがアルファベットの連続する２文字である「ab」（半角小文字である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。また、当該再計算された簡易度に応じて、スライダー・バーを自動的に移動する。
【０２８６】
従って、利用したいオブジェクトの選択に従って、ドラッグ・アンド・ドロップ前の簡易パスワード（「a」）に比べて、より長い簡易パスワード（「ab」）（但し、上記通常のパスワードよりも簡易である）が生成されている。すなわち、上記電子装置は、利用したいオブジェクトが追加され、当該追加されたオブジェクトに関連付けられた簡易度によっては、より長い簡易パスワードを生成するようにしうる。逆に、上記電子装置は、オブジェクトが利用出来ないように削除又は移動された場合には、当該削除又は移動されたオブジェクトに関連付けられた簡易度によっては、より短い簡易パスワードを生成するようにしうる。
【０２８７】
以上に示す通り、図７Ｂに示す態様では、上記電子装置は、スライダー・バーを使用してパスワードの簡易度が設定された後に、さらにドラッグ・アンド・ドロップによって利用したいオブジェクトが所定の位置又は別のオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２８８】
図７Ｃは、本発明の実施態様に従い、パスワードの簡易度を設定することを可能にするスライダー・バーを使用してパスワードの簡易度を設定し、次に、ドラッグ・アンド・ドロップによって利用したいオブジェクトが別のオブジェクトで利用可能なオブジェクトのオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する態様を示す。
【０２８９】
ユーザが上記通常のパスワードを上記電子装置に入力し、そして当該電子装置が入力された当該通常のパスワードを認証したとする。当該電子装置は、当該認証が成功した場合において、例えばパスワードの簡易度を設定するメニューが呼び出されることに応じて、パスワードの簡易度を設定することを可能にする画面を表示しうる。
【０２９０】
画面（７０５）は、スライダー・バーを使用してパスワードの簡易度を設定した後の画面を示す。
【０２９１】
画面（７０５）は、パスワードの簡易度を設定することを可能にするスライダー・バー、当該スライダー・バーの移動により設定された簡易度に応じて生成される簡易パスワード、並びに、現在表示している簡易パスワード（「a」）（半角小文字である）で利用可能なオブジェクト（上記利用可能なオブジェクト）のオブジェクト・アイコン、及び、現在表示している簡易パスワードで利用可能でないが簡易度が変更されることで利用しうるオブジェクト（上記利用しうるオブジェクト）のオブジェクト・アイコンを示す。
【０２９２】
ユーザは、上記利用しうるオブジェクトの中から、利用したいオブジェクトを例えばポインティング・デバイス又はタッチ操作により選択することが可能である。ユーザが、例えばオブジェクトａ（７６１）を利用したいとする。オブジェクトａ（７６１）は、オブジェクト７５１上で利用可能なオブジェクトＣ上で利用可能なオブジェクト（例えば、アプリケーション又はデータ・コンテンツ）であるとする。ユーザは、オブジェクトａ（７６１）をオブジェクトＣ上にドラッグ・アンド・ドロップする。
【０２９３】
画面（７０６）は、上記オブジェクトａ（７６１）がドラッグ・アンド・ドロップされた後の画面を示す。なお、オブジェクトＡ，Ｄ，Ｅ及びＦは、ユーザに選択されていない。
【０２９４】
なお、オブジェクトａ（７４１）はオブジェクトＣ上で利用可能となっているが、画面（７０６）では、オブジェクトａ（７４１）のオブジェクト・アイコンは、表示されていない。しかしながら、ユーザは、オブジェクトＣのオブジェクト・アイコンを、例えばクリック又はダブルクリックすることに応じて、上記電子装置は、オブジェクトＣのオブジェクト・アイコンを拡大表示し、当該拡大表示されたオブジェクト・アイコン上にオブジェクトａ（７４１）のアイコンを表示しうる。
【０２９５】
画面（７０７）は、オブジェクトＣのオブジェクト・アイコンを拡大表示した画面を示す。オブジェクトＣのオブジェクト・アイコン上にオブジェクトａ（７４１）及びオブジェクトｃそれぞれのオブジェクト・アイコンが表示されている。従って、ユーザは、オブジェクトａ（７４１）及びオブジェクトｃそれぞれは、オブジェクトＣ上で利用可能であることがわかる。
【０２９６】
また、画面（７０６）は、上記各オブジェクトがドラッグ・アンド・ドロップされた後の簡易度に応じた簡易パスワードがアルファベットの連続する２文字である「ab」（半角小文字である）であることを示す。上記電子装置は、当該電子装置で利用可能なオブジェクトそれぞれに関連付けられた簡易度に基づいて、当該電子装置全体に対する簡易度を再計算し、当該再計算された簡易度に応じた簡易パスワードを生成する。また、当該再計算された簡易度に応じて、スライダー・バーを自動的に移動する。
【０２９７】
従って、利用したいオブジェクトの選択に従って、ドラッグ・アンド・ドロップ前の簡易パスワード（「a」）に比べて、より長い簡易パスワード（「ab」）（但し、上記通常のパスワードよりも簡易である）が生成されている。すなわち、上記電子装置は、利用したいオブジェクトが追加され、当該追加されたオブジェクトに関連付けられた簡易度によっては、より長い簡易パスワードを生成するようにしうる。逆に、上記電子装置は、オブジェクトが利用出来ないように削除又は移動された場合には、当該削除又は移動されたオブジェクトに関連付けられた簡易度によっては、より短い簡易パスワードを生成するようにしうる。
【０２９８】
以上に示す通り、図７Ｃに示す態様では、上記電子装置は、スライダー・バーを使用してパスワードの簡易度が設定された後に、さらにドラッグ・アンド・ドロップによって利用したいオブジェクトが所定の位置又は別のオブジェクト・アイコン上に移動されることに応じて、当該電子装置で利用可能なオブジェクトそれぞれに関連付けられた簡易度に基づいて、当該電子装置全体に対する簡易度を再計算し、当該再計算された簡易度に応じた簡易パスワードを生成する。
【０２９９】
図８は、本発明の実施態様において使用されうる、パスワードの簡易度とセキュリティ・レベルとの関係、並びに、パスワードの簡易度又はセキュリティ・レベルとアクセス・グループとの関係を示す模式図である。
【０３００】
パスワードの簡易度（Password Simplicity，PS）は、スライダー・バーの「簡単」（Simple）から「複雑」（Complex）に対応する。パスワードの簡易度は例えば０〜９（整数）の９段階に設定され、パスワードが複雑になるほど高い数値に設定されうる。パスワードの簡易度は例えば、Simple(0)〜Complex(9)で表されうる。なお、パスワードの簡易度は例えば、上記９段階に限定されず、例えば、２又は３段階などのより纏まった段階であってもよい。
【０３０１】
セキュリティ・レベル（SL）は、オブジェクトそれぞれについて設定されるものである。セキュリティ・レベルは例えば、上記パスワードの簡易度に対応するようにしうる。セキュリティ・レベルが上記パスワードの簡易度に対応する場合（すなわち、SL＝PSの場合）には、オブジェクトそれぞれのセキュリティ・レベルは例えば、Low(0)〜High(9)で表されうる。
【０３０２】
オブジェクトのセキュリティ・レベルは例えば、下記の通りに設定されうる。
（１）オブジェクトがアプリケーションである場合
・ブラウザ・アプリ（例えば、SL＝0）；・電話アプリ（例えば、SL＝1）；・ワード・プロセッサ・アプリ（例えば、SL＝1）
（２）オブジェクトがデータ・コンテンツである場合
・ブラウザ履歴（例えば、ＵＲＬ、又は閲覧回数を含む）（例えば、SL＝1）；・クッキー（例えば、SL＝2）；・電話履歴（例えば、名前、電話番号、通話日付、通話時間、又は通話回数を含む）（例えば、SL＝2）
・電話帳（例えば、名前、電話番号、住所、又は郵便番号を含む）（例えば、SL＝5）；・新規文書（例えば、SL＝1）；・会社文書（例えば、SL＝6）；・機密文書（例えば、SL＝9）
【０３０３】
セキュリティ・レベルが上記パスワードの簡易度に対応する場合には、セキュリティ・レベルとパスワードとは例えば下記に示すようにマッピングされうる：  SL=0の場合に、パスワード＝「１」；  SL=1の場合に、パスワード＝「Ａ」；  SL=2の場合に、パスワード＝「１２」；  SL=3の場合に、パスワード＝「ＡＢ」；  SL=4の場合に、パスワード＝「１２３」；  SL=5の場合に、パスワード＝「ＡＢＣ」；  SL=6の場合に、パスワード＝「ＣＡＴ」；  ・・・。なお、上記例に示した通り、パスワードとして、簡易度が複雑になるにつれて、パスワードの文字長が長くなるのではなく、文字数が同じであるが、例えば、数字、アルファベット、又は平仮名の間で文字種が変わるようにしてもよい。
【０３０４】
また、各オブジェクトは、あるアクセス・グループに関連付けることができる。アクセス・グループとは、あるセキュリティ・レベルで利用可能なオブジェクトを示すものである。また、アクセス・グループは、電子装置全体に対する簡易度が計算された場合に、当該計算された簡易度に対して利用可能なオブジェクトを決定するために使用されうる。
【０３０５】
アクセス・グループは例えば、下記の通りでありうる。
（１）アクセス・グループ１（SL＝0〜0.5）
ブラウザ・アプリ（SL＝0）
（２）アクセス・グループ２（SL＝0.5〜2未満）
ブラウザ・アプリ（SL＝0）＋ブラウザ履歴（SL＝1）  従って、SL＝0＋1＝1
電話アプリ（SL＝1）
（３）アクセス・グループ３（SL＝2〜3未満）
ワード・プロセッサ・アプリ（SL＝1）＋新規文書（SL＝1）  従って、SL＝1＋1＝2
ブラウザ・アプリ（SL＝0）＋クッキー（SL＝2）  従って、SL＝0＋2＝2
（４）アクセス・グループ４（SL＝MAX(2,3)=3）
電話アプリ（SL＝1）＋電話履歴（SL＝2）  従って、SL＝1＋2＝3
（５）アクセス・グループ５（SL＝4〜6未満）
（６）アクセス・グループ６（SL＝6〜8未満）
（７）アクセス・グループ７（SL＝9以上）
など。
【０３０６】
図９Ａは、本発明の実施態様に従い生成されたパスワードを生成する処理の為のフローチャートの例を示す。
【０３０７】
ステップ９０１において、上記電子装置は、簡易パスワードを生成する処理を開始する。
【０３０８】
ステップ９０２において、上記電子装置は、当該電子装置のロックを解除するためのフルパスワードが入力されるのを待つ。上記電子装置は、フルパスワードが入力されることに応じて、処理をステップ９０３に進める。
【０３０９】
ステップ９０３において、上記電子装置は、ステップ９０２で入力された文字列が、登録されているフルパスワードと一致するかを認証する。上記電子装置は、入力された文字列が登録されているフルパスワードと一致することに応じて、処理をステップ９０４に進める。
【０３１０】
ステップ９０４において、上記電子装置は、以前に設定した簡易パスワードがあるかを判断する。上記電子装置は、以前に設定した簡易パスワードがあることに応じて、簡易パスワードの破棄ルール（９３１）を参照する。上記電子装置は、以前に設定した簡易パスワードが簡易パスワードの破棄ルール（９３１）に従い破棄する必要がある場合には、当該以前に設定した簡易パスワードを破棄する。一方、上記電子装置は、以前に設定した簡易パスワードが簡易パスワードの破棄ルール（９３１）に従い破棄する必要がない場合には、当該以前に設定した簡易パスワードが使用可能であることを表示するようにしてもよい。
【０３１１】
簡易パスワードの破棄ルール（９３１）は例えば、以下の通りである。（１）フルパスワードが入力された場合に、以前に設定した簡易パスワードを破棄する。（２）簡易パスワードが所定回数使用された場合に、以前に設定した簡易パスワードを破棄する。
【０３１２】
ステップ９０５において、上記電子装置は、簡易パスワードを設定する画面を構成する。簡易パスワードを設定する画面は、例えば、スライダー・バーを用いてパスワードの簡易度を設定することを可能にする画面（例えば、図３Ａ〜図３Ｅに示す画面を参照）、利用したいオブジェクト・アイコンを所定の位置又は別のオブジェクト・アイコン上に移動したり若しくは選択したりすることを可能にする画面（例えば、図５Ａ〜図５Ｅに示す画面）、又は、それら画面の組み合わせからなる画面（図７Ａ〜図７Ｃに示す画面を参照）でありうる。
【０３１３】
上記電子装置は、スライダー・バーを用いてパスワードの簡易度を設定することを可能にする画面を表示する場合には、初期設定の簡易度を用いて、当該初期設定の簡易度に対応する位置にスライダー・バーを表示しうる。初期設定の簡易度は例えば、ユーザ又は本発明の実施態様に従う電子装置用プログラムによって予め設定されたデフォルトの簡易度、又は、本発明の実施態様に従う電子装置用プログラムに従い簡易度をユーザが設定した場合の直前の簡易度でありうる。また、上記電子装置は、上記初期設定の簡易度に基づいて、当該初期設定の簡易度で利用可能なオブジェクトを、当該初期設定の簡易度に対応するアクセス・グループから選択しうる。そして、上記電子装置は、当該選択されたオブジェクトのオブジェクト・アイコンを画面上又は当該画面上に表示されたオブジェクトのオブジェクト・アイコン上に重畳して表示しうる。さらに、上記電子装置は、任意的に、上記初期設定の簡易度で利用可能でないが簡易度が変更されることで利用しうるオブジェクトを、上記初期設定の簡易度で利用可能なオブジェクトと異なる態様で表示しうる。
【０３１４】
上記電子装置は、利用したいオブジェクト・アイコンを所定の位置又は別のオブジェクト・アイコン上に移動したり若しくは選択したりすることを可能にする画面を表示する場合には、初期設定の簡易度に基づいて、当該初期設定の簡易度で利用可能なオブジェクトを、当該初期設定の簡易度に対応するアクセス・グループから選択しうる。初期設定の簡易度は例えば、ユーザ又は本発明の実施態様に従う電子装置用プログラムによって予め設定されたデフォルトの簡易度、又は、本発明の実施態様に従う電子装置用プログラムに従い簡易度をユーザが設定した場合の直前の簡易度でありうる。そして、上記電子装置は、当該選択されたオブジェクトのオブジェクト・アイコンを画面上又は当該画面上に表示されたオブジェクトのオブジェクト・アイコン上に重畳して表示しうる。さらに、上記電子装置は、任意的に、上記初期設定の簡易度で利用可能でないが簡易度が変更されることで利用しうるオブジェクトを、上記初期設定の簡易度で利用可能なオブジェクトと異なる態様で表示しうる。
【０３１５】
上記電子装置は、スライダー・バーを用いてパスワードの簡易度を設定すること並びに利用したいオブジェクト・アイコンを所定の位置又は別のオブジェクト・アイコン上に移動したり若しくは選択したりすることを可能にする画面を表示する場合には、上記した個々の画面表示を組み合わせうる。
【０３１６】
ステップ９０６において、上記電子装置は、スライダー・バーに移動による簡易度が変更されることの検出、又は、オブジェクトの選択又は移動されることの検出を待つ。上記電子装置は、スライダー・バーに移動により簡易度が変更されたことを検出したことに応じて、処理をステップ９０７に進める。また、上記電子装置は、オブジェクトの選択又は移動の検出をしたことに応じて、処理をステップ９０９に進める。
【０３１７】
ステップ９０７において、上記電子装置は、スライダー・バーがユーザによってスライドされることに応じて、スライダー・バーの現在位置を検出する。そして、上記電子装置は、スライダー・バーの当該現在位置に関連付けられた簡易度を、例えば、簡易度とセキュリティ・レベルとのマッピング（９３２、図８を参照）を参照して、簡易度を取得する。
【０３１８】
ステップ９０８において、上記電子装置は、上記ステップ９０７で取得した簡易度に合うように、オブジェクトを画面上に表示し、又は、オブジェクトを利用可能なオブジェクト上に重畳して表示する。
【０３１９】
ステップ９０９において、上記電子装置は、オブジェクトがユーザによって選択又は移動されたことを検出する。当該オブジェクトは例えば、現在表示している簡易パスワードで利用可能でないが簡易度が変更されることで利用しうるオブジェクトでありうる。
【０３２０】
ステップ９１０において、上記電子装置は、上記ステップ９０９で選択又は移動されたオブジェクトを当該オブジェクトの移動先である画面上に表示し、又は、ステップ９０９で選択又は移動されたオブジェクトを当該オブジェクトの移動先であるオブジェクト上に重畳して表示する。
【０３２１】
ステップ９１１において、上記電子装置は、上記ステップ９０７〜９０８を経由しての処理の場合には、例えば、利用しうる簡易度が変更されることで利用しうるオブジェクトのオブジェクト・アイコンの更新をして、表示画面を再構成しうる。また、上記電子装置は、スライダー・バーを簡易度が設定可能なように再表示しうる（９１２）。
【０３２２】
また、ステップ９１１において、上記電子装置は、上記ステップ９０９〜９１０を経由しての処理の場合には、例えば、利用しうる簡易度が変更されることで利用しうるオブジェクトのオブジェクト・アイコンの更新をして、表示画面を再構成しうる。
【０３２３】
ステップ９１３において、上記電子装置は、当該電子装置全体で利用可能なオブジェクト（オブジェクト上で利用可能なオブジェクトも含む）から、アクセス・グループを生成する。
【０３２４】
ステップ９１４において、上記電子装置は、ステップ９１２で生成されたアクセス・グループから、当該電子装置全体に対する簡易度を再計算する。上記電子装置は、当該簡易度の再計算において、オブジェクトそれぞれの簡易度とアクセス・グループとのマッピング（９３２）とを用いて、上記簡易度を再計算しうる。
【０３２５】
ステップ９１５において、上記電子装置は、上記ステップ９１４で再計算した簡易度に従う簡易パスワードを生成する。代替的には、上記電子装置は、上記ステップ９０７で取得した簡易度に従う簡易パスワードを生成しうる。また、代替的には、上記電子装置は、上記ステップ９０９で選択又は移動されたオブジェクトを含む当該電子装置全体で利用可能なオブジェクトそれぞれに関連付けられた簡易度から当該電子装置全体に対する簡易度を算出し、当該算出された簡易度に従う簡易パスワードを生成しうる。上記電子装置は、当該簡易パスワードの生成において、簡易パスワードの生成ルール（９３３）を用いて、上記簡易パスワードを生成しうる。簡易パスワードの生成ルール（９３３）は例えば、リニアな値で簡易度（いわば、脆弱度）を指定することである。
【０３２６】
また、上記電子装置は、上記簡易パスワードの生成時に以下に示す簡易パスワードの制御ルールを当該簡易パスワードに設定可能である。
（１）破棄ルール：
１）権限の高いレベルで電子装置のアンロックが行われることに応じて、当該簡易パスワードを自動的に破棄する設定をすることができる。
２）当該簡易パスワードの使用可能回数（すなわち、アンロックするための使用回数）を設定することができる。但し、アンロックしたパスワードに設定されたアンロック回数よりも少ない値を設定する。パスワードがフルパスワードと簡易パスワードの２種類しかない場合には、当該アンロックしたパスワードとは、当該フルパスワードのことを指す。また、アクセス・グループの異なる複数の簡易パスワードがある場合には、当該アンロックしたパスワードとは、当該フルパスワード又はアンロックした簡易パスワードである。
（２）誤入力回数ルール：・アンロックの為の文字列の入力回数（すなわち、ロックアウトの閾値である）を設定することができる。
（３）有効期間ルール：アンロックしたパスワードに設定されたロックアウト期間よりも短く設定することができる。
（４）生成する簡易パスワード数：セキュリティ・レベルの違う簡易パスワードを複数生成するように設定することができる。
【０３２７】
ステップ９１６において、上記電子装置は、ステップ９１５で生成した簡易パスワードを提示する。当該簡易パスワードの提示は例えば、画面上への簡易パスワードの表示、音声による簡易パスワードの発声、メール送信による通知、又は、画像若しくは動画による提供により行われうる。
【０３２８】
ステップ９１７において、上記電子装置は、上記簡易度がユーザに承認されること（例えば、簡易パスワードの承認ボタンが押されること）に応じて、処理をステップ９１８に進める。一方、上記電子装置は、上記簡易度がユーザに承認されないこと（例えば、スライダー・バーが再びスライドされること、又は、オブジェクトがさらに選択し若しくは移動されること）に応じて、処理をステップ９０６に戻す。
【０３２９】
ステップ９１８において、上記電子装置は、ステップ９１５で生成された簡易パスワードを、簡易パスワードを格納するデータベースに格納する（９３４）。また、ステップ９１８において、任意的に、上記電子装置は、ステップ９１５で生成された簡易パスワードとステップ９１３で生成されたアクセス・グループとを関連付け、当該当該関連付けを簡易パスワードとアクセス・グループとの関連付けを保存するデータベース（９３４）に格納しうる。
【０３３０】
ステップ９１９において、上記電子装置は、簡易パスワードを生成する上記処理を終了する。
【０３３１】
図９Ｂは、本発明の実施態様に従い生成されたパスワードでログインする処理の為のフローチャートの例を示す。
【０３３２】
ステップ９２１において、上記電子装置は、当該電子装置に簡易パスワードでログインする処理を開始する。
【０３３３】
ステップ９２２において、上記電子装置は、上記簡易パスワードが入力されるのを待つ。上記電子装置は、上記簡易パスワードが入力されることに応じて、処理をステップ９２３に進める。
【０３３４】
ステップ９２３において、上記電子装置は、ステップ９２２で入力された文字列が、簡易パスワードを格納するデータベース（９３４）に登録されている簡易パスワードと一致するかを認証する。上記電子装置は、入力された文字列が上記データベース（９３４）に登録されている簡易パスワードと一致することに応じて、処理をステップ９２４に進める。
【０３３５】
ステップ９２４において、上記電子装置は、上記認証された簡易パスワードに対応する簡易度に基づいて、アクセス・グループを抽出する。そして、上記電子装置は、当該抽出したアクセス・グループに属するオブジェクトが他のオブジェクト上で利用可能である場合には、当該オブジェクトのオブジェクト・アイコンについて重畳されたオブジェクト・アイコンを生成する。
【０３３６】
ステップ９２５において、上記電子装置は、当該抽出したアクセス・グループに属するオブジェクトのオブジェクト・アイコンを画面上に表示し、又は、当該抽出したアクセス・グループに属するオブジェクトのオブジェクト・アイコンを当該画面上にあるオブジェクト・アイコン上に重畳して表示する。そして、上記電子装置は、ユーザが利用可能なオブジェクト・アイコンだけの初期表示画面を構成する。
【０３３７】
ステップ９２６において、上記電子装置は、当該電子装置に簡易パスワードでログインする処理を終了する。
【０３３８】
図１０Ａは、図１Ａ又は図１Ｂに従うハードウェア構成を好ましくは備えており、本発明の実施態様に従いパスワードを生成する電子装置の機能ブロック図の一例を示した図である。
【０３３９】
電子装置（１００１）は、パスワード認証手段（１０１１）、簡易パスワード破棄手段（１０１２）、簡易パスワード設定画面構成手段（１０１３）、オブジェクト表示手段（１０１４）、簡易度設定手段（１０１５）、オブジェクト移動検出手段（１０１６）、簡易度変更検出手段（１０１７）、アクセス・グループ生成手段（１０１８）、簡易度算出手段（１０１９）、簡易パスワード生成手段（１０２０）、及び簡易パスワード提示手段（１０２１）を備えている。
【０３４０】
パスワード認証手段（１０１１）は、電子装置のロックを解除するためのフルパスワードが入力されるのを待つ。そして、パスワード認証手段（１０１１）は、フルパスワードが入力されることに応じて、入力された文字列が、登録されているフルパスワードと一致するかを認証する。
【０３４１】
簡易パスワード破棄手段（１０１２）は、以前に設定した簡易パスワードがあることに応じて、以前に設定した簡易パスワードが簡易パスワードの破棄ルール（９３１）に従い破棄する必要がある場合には、当該以前に設定した簡易パスワードを破棄する。
【０３４２】
簡易パスワード設定画面構成手段（１０１３）は、簡易パスワードを設定する画面（例えば、図３Ａ〜図３Ｅそれぞれに示す画面、図５Ａ〜図５Ｅそれぞれに示す画面、及び図７Ａ〜図７Ｃそれぞれに示す画面を参照）を構成する。
【０３４３】
オブジェクト表示手段（１０１４）は、オブジェクトを表示装置（１０６，１２６）の画面上に表示する。当該オブジェクトは、第１のオブジェクト、当該第１のオブジェクト上で利用可能な第２のオブジェクト、又はそれらの組み合わせを含む。
【０３４４】
また、オブジェクト表示手段（１０１４）は、第１のオブジェクトの第１のオブジェクト・アイコン上に、当該第１のオブジェクト上で利用可能な少なくとも１つの第２のオブジェクトの第２のオブジェクト・アイコンを重畳して表示する。
【０３４５】
また、オブジェクト表示手段（１０１４）は、上記重畳した第２のオブジェクト・アイコン上に、当該重畳した第２のオブジェクトが上記簡易度に応じて利用可能かを示す表示を重畳して表示する。
【０３４６】
また、オブジェクト表示手段（１０１４）は、上記重畳した第２のオブジェクトが上記簡易度に応じて利用可能かを区別できるように当該重畳した第２のオブジェクト・アイコンを変更して表示する。
【０３４７】
また、オブジェクト表示手段（１０１４）は、上記パスワードの簡易度を変更可能な簡易度設定表示（例えば、スライディング・バー）を表示する。
【０３４８】
また、オブジェクト表示手段（１０１４）は、上記簡易度設定表示により特定された簡易度に応じて、上記重畳した第２のオブジェクトが上記簡易度に応じて利用可能かを示す上記表示、若しくは上記第１のオブジェクトが上記簡易度に応じて利用可能かを示す表示を動的に変更する。
【０３４９】
また、オブジェクト表示手段（１０１４）は、上記重畳した第２のオブジェクトが上記簡易度に応じて利用可能かを区別できるように当該重畳した第２のオブジェクト・アイコン、若しくは上記第１のオブジェクトが上記簡易度に応じて利用可能かを区別できるように当該第１のオブジェクト・アイコンを動的に変更する。
【０３５０】
また、オブジェクト表示手段（１０１４）は、簡易度設定手段（１０１５）によって変更された簡易度に応じて、上記重畳した第２のオブジェクトが上記簡易度に応じて利用可能かを示す上記表示、若しくは上記第１のオブジェクトが上記簡易度に応じて利用可能かを示す表示を動的に変更する。
【０３５１】
また、オブジェクト表示手段（１０１４）は、簡易度設定手段（１０１５）によって変更された簡易度に応じて、上記重畳した第２のオブジェクトが上記簡易度に応じて利用可能かを区別できるように当該重畳した第２のオブジェクト・アイコン、若しくは上記第１のオブジェクトが上記簡易度に応じて利用可能かを区別できるように当該第１のオブジェクト・アイコンを動的に変更する。
【０３５２】
また、オブジェクト表示手段（１０１４）は、上記第２のオブジェクト・アイコンが上記第１のオブジェクト・アイコン上に移動されることに応じて、上記移動した第２のオブジェクトが上記簡易度に応じて利用可能かを示す上記表示を利用可能であることを示す表示に変更する。
【０３５３】
また、オブジェクト表示手段（１０１４）は、上記第２のオブジェクト・アイコンが上記第１のオブジェクト・アイコン上に移動されることに応じて、上記移動した第２のオブジェクトが上記簡易度に応じて利用可能であることを示すように当該移動した第２のオブジェクト・アイコンを動的に変更する。
【０３５４】
また、オブジェクト表示手段（１０１４）は、第２のオブジェクト・アイコンが拡大表示されることに応じて、当該拡大表示された第２のオブジェクト・アイコン上に、当該第２のオブジェクト上で利用可能な少なくとも１つの第３のオブジェクトの第３のオブジェクト・アイコンを重畳して表示する。
【０３５５】
簡易度設定手段（１０１５）は、ユーザがパスワードの簡易度を設定すること（すなわち、変更すること）を可能にする。
【０３５６】
オブジェクト移動検出手段（１０１６）は、現在表示している簡易パスワードで利用可能でないが簡易度が変更されることで利用しうるオブジェクトがユーザによって選択又は移動されたことに応じて、当該電子装置で利用可能なオブジェクトそれぞれに関連付けられた簡易度に基づいて、当該電子装置全体に対する簡易度を再計算する。
【０３５７】
簡易度変更検出手段（１０１７）は、スライダー・バーがユーザによってスライドされることに応じて、スライダー・バーの現在位置を検出し、変更後の簡易度を算出する。また、簡易度変更検出手段（１０１７）は、スライダー・バーがユーザによってさらにスライドされることに応じて、スライダー・バーの現在位置を検出し、変更後の簡易度を算出する。
【０３５８】
また、簡易度変更検出手段（１０１７）は、簡易パスワードの簡易度が変更されたことを検出する。
【０３５９】
アクセス・グループ生成手段（１０１８）は、当該電子装置全体で利用可能なオブジェクト（オブジェクト上で利用可能なオブジェクトも含む）から、アクセス・グループを生成する。
【０３６０】
簡易度算出手段（１０１９）は、上記第２のオブジェクト・アイコンが上記第１のオブジェクト・アイコン上に移動されることに応じて、当該移動された第２のオブジェクトが利用可能になるように、簡易度を計算する。
【０３６１】
また、簡易度算出手段（１０１９）は、移動した第２のオブジェクトに関連付けられたセキュリティ・レベルが、設定された簡易度に関連付けられたセキュリティ・レベルを満たすように、簡易度を計算する。
【０３６２】
また、簡易度算出手段（１０１９）は、設定された簡易度で利用不可能な第２又は第１のオブジェクトのオブジェクト・アイコンがユーザによって選択されることに応じて、選択された又は変更された第２又は第１のオブジェクトが利用可能になるように、簡易度を計算する。
【０３６３】
また、簡易度算出手段（１０１９）は、設定された簡易度で利用不可能な第２又は第１のオブジェクトのオブジェクト・アイコン上の簡易度に応じて利用可能かを示す表示が利用可能であるように変更されることに応じて、選択された又は変更された第２又は第１のオブジェクトが利用可能になるように、簡易度を計算する。
【０３６４】
また、簡易度算出手段（１０１９）は、選択された又は変更された第２又は第１のオブジェクトに関連付けられたセキュリティ・レベル若しくはその組み合わせに基づき計算されるセキュリティ・レベルが、設定された簡易度に関連付けられたセキュリティ・レベルを満たすように、簡易度を計算する。
【０３６５】
簡易パスワード生成手段（１０２０）は、簡易度設定手段（１０１５）により設定された簡易度又は簡易度算出手段（１０１９）により生成された簡易度に従うパスワードを生成する。
【０３６６】
また、簡易パスワード生成手段（１０２０）は、複数の簡易パスワードを生成する。複数の簡易パスワードそれぞれは、第１の環境で当該簡易パスワードが有効な第１の簡易パスワード、第２の環境で当該簡易パスワードが有効な第２の簡易パスワード、及び第ｎの環境で当該簡易パスワードが有効な第ｎの環境（ｎは、正の整数）でありうる。
【０３６７】
簡易パスワード提示手段（１０２１）は、簡易パスワード生成手段（１０２０）により生成された簡易パスワードをユーザに提示する。
【０３６８】
パスワード認証手段（１０１１）は、図９Ａに記載のステップ９０２及び９０３を実行しうる。簡易パスワード破棄手段（１０１２）は、図９Ａに記載のステップ９０４を実行しうる。簡易パスワード設定画面構成手段（１０１３）は、図９Ａに記載のステップ９０５を実行しうる。簡易度変更検出手段（１０１７）は、図９Ａに記載のステップ９０６及び９０７を実行しうる。オブジェクト移動検出手段（１０１６）は、図９Ａに記載のステップ９０６及び９０９を実行しうる。オブジェクト表示手段（１０１４）は、図９Ａに記載のステップ９０８、９１０及び９１１、並びにステップ９１２を実行しうる。アクセス・グループ生成手段（１０１８）は、図９Ａに記載のステップ９１３を実行しうる。簡易度算出手段（１０１９）は、図９Ａに記載のステップ９１４を実行しうる。簡易パスワード生成手段（１０２０）は、図９Ａに記載のステップ９１５を実行しうる。簡易パスワード提示手段（１０２１）は、図９Ａに記載のステップ９１６を実行しうる。
【０３６９】
図１０Ｂは、図１Ａ又は図１Ｂに従うハードウェア構成を好ましくは備えており、本発明の実施態様に従い生成されたパスワードを入力して、当該入力されたパスワードで利用可能なオブジェクトを表示装置上に表示し且つ利用可能にする電子装置の機能ブロック図の一例を示した図である。
【０３７０】
電子装置（１００２）は、図１０Ａに示す電子装置（１００１）と同じでありうる。
【０３７１】
電子装置（１００２）は、簡易パスワード認証手段（１０３１）、オブジェクト・アイコン生成手段（１０３２）、及び初期表示画面構成手段（１０３４）を備えている。
【０３７２】
簡易パスワード認証手段（１０３１）は、電子装置のロックを解除するための簡易パスワードが入力されるのを待つ。そして、簡易パスワード認証手段（１０３１）は、簡易パスワードが入力されることに応じて、簡易パスワードを格納するデータベース（９３４）を参照し、入力された文字列が、簡易パスワードを格納するデータベース（９３４）に登録されている簡易パスワードと一致するかを認証する。
【０３７３】
オブジェクト・アイコン生成手段（１０３２）は、上記認証された簡易パスワードに対応する簡易度に基づいて、アクセス・グループを抽出する。そして、上記電子装置は、当該抽出したアクセス・グループに属するオブジェクトが他のオブジェクト上で利用可能である場合には、当該オブジェクトのオブジェクト・アイコンについて重畳されたオブジェクト・アイコンを生成する。
【０３７４】
初期表示画面構成手段（１０３４）は、当該抽出したアクセス・グループに属するオブジェクトのオブジェクト・アイコンを画面上に表示し、又は、当該抽出したアクセス・グループに属するオブジェクトのオブジェクト・アイコンを当該画面上にあるオブジェクト・アイコン上に重畳して表示する。
【０３７５】
また、初期表示画面構成手段（１０３４）は、ユーザが利用可能なオブジェクト・アイコンだけの初期表示画面を構成する。
【０３７６】
簡易パスワード認証手段（１０３１）は、図９Ｂに記載のステップ９２２及び９２３を実行しうる。オブジェクト・アイコン生成手段（１０３２）は、図９Ｂに記載のステップ９２４を実行しうる。初期表示画面構成手段（１０３４）は、図９Ｂに記載のステップ９２５を実行しうる。
【図１Ａ】
0005936238.tif 000002
【図１Ｂ】
0005936238.tif 000003
【図８】
0005936238.tif 000004
【図９Ａ】
0005936238.tif 000005
【図９Ｂ】
0005936238.tif 000006
【図１０Ａ】
0005936238.tif 000007
【図１０Ｂ】
0005936238.tif 000008
【図２】
0005936238.tif 000009
【図３Ａ】
0005936238.tif 000010
【図３Ｂ】
0005936238.tif 000011
【図３Ｃ】
0005936238.tif 000012
【図３Ｄ】
0005936238.tif 000013
【図３Ｅ】
0005936238.tif 000014
【図４Ａ】
0005936238.tif 000015
【図４Ｂ】
0005936238.tif 000016
【図５Ａ】
0005936238.tif 000017
【図５Ｂ】
0005936238.tif 000018
【図５Ｃ】
0005936238.tif 000019
【図５Ｄ】
0005936238.tif 000020
【図５Ｅ】
0005936238.tif 000021
【図６Ａ】
0005936238.tif 000022
【図６Ｂ】
0005936238.tif 000023
【図７Ａ】
0005936238.tif 000024
【図７Ｂ】
0005936238.tif 000025
【図７Ｃ】
0005936238.tif 000026